(57)【要約】アムスラーチャートを用いた自覚測定を容易にかつ適切に行うことのできる眼屈折力測定装置を提供することを目的とする。被検眼Ｅの眼底（Ｅｆ）に向けて主光軸（Ｏ１）上で測定光を投影するレフ測定投影光学系（３３）と、主光軸（Ｏ１）を通る測定光の眼底（Ｅｆ）での反射光を受光するレフ測定受光光学系（３４）と、を備え、レフ測定受光光学系（３４）での受光に基づいて被検眼Ｅの眼屈折力を測定する眼屈折力測定装置（１０）である。自覚測定のために被検者に注視させる自覚視標として格子状のパターンからなるアムスラーチャート（３１ｖ）を、主光軸（Ｏ１）上で被検眼（Ｅ）に呈示する視標呈示光学系（３１）を備える。
2015040950.tif 000002
【特許請求の範囲】
【請求項１】
被検眼の眼底に向けて主光軸上で測定光を投影するレフ測定投影光学系と、前記主光軸を通る前記測定光の前記眼底での反射光を受光するレフ測定受光光学系と、を備え、前記レフ測定受光光学系での受光に基づいて前記被検眼の眼屈折力を測定する眼屈折力測定装置であって、
自覚測定のために被検者に注視させる自覚視標として格子状のパターンからなるアムスラーチャートを、前記主光軸上で前記被検眼に呈示する視標呈示光学系を備えることを特徴とする眼屈折力測定装置。
【請求項２】
前記視標呈示光学系は、前記アムスラーチャートが所定の大きさ寸法で前記被検眼から所定の距離となる位置に設けられたものと等しい状態で前記被検眼に呈示することを特徴とする請求項１に記載の眼屈折力測定装置。
【請求項３】
前記視標呈示光学系は、前記レフ測定受光光学系での受光に基づいて測定した前記被検眼の眼屈折力に応じて、前記アムスラーチャートを前記被検眼において遠くを見るときに適した度数となる位置または近くを見るときに適した度数となる位置に移動することを特徴とする請求項１または請求項２に記載の眼屈折力測定装置。
【請求項４】
前記視標呈示光学系は、前記被検眼における網膜の中心に対応する範囲で前記アムスラーチャートを前記被検眼に呈示することを特徴とする請求項１から請求項３のいずれか１項に記載の眼屈折力測定装置。
【請求項５】
前記アムスラーチャートでは、中心位置に中心注視点が設けられているとともに、前記中心注視点を取り巻いて複数の周辺注視点が設けられていることを特徴とする請求項１から請求項４のいずれか１項に記載の眼屈折力測定装置。
【請求項６】
前記各周辺注視点は、前記視標呈示光学系により呈示された前記アムスラーチャート上での前記被検眼からの視野の周縁部に設けられていることを特徴とする請求項５に記載の眼屈折力測定装置。
【請求項７】
前記アムスラーチャートは、正方形状を呈し、
前記周辺注視点は、前記アムスラーチャートを、前記中心注視点を含む縦線および横線により４分割した際の４つの分割領域におけるそれぞれの中心位置に設けられていることを特徴とする請求項５または請求項６に記載の眼屈折力測定装置。
【請求項８】
前記視標呈示光学系は、前記アムスラーチャートにおける格子状のパターンを描く線分を所定の色として前記被検眼に呈示すること特徴とする請求項１から請求項７のいずれか１項に記載の眼屈折力測定装置。
【請求項９】
前記視標呈示光学系は、視標光源を有し、
前記アムスラーチャートは、前記視標呈示光学系において前記視標光源から出射された光を透過させる部材で形成されていることを特徴とする請求項１から請求項８のいずれか１項に記載の眼屈折力測定装置。
【請求項１０】
前記視標呈示光学系は、前記アムスラーチャートとは異なる他の視標を有し、前記アムスラーチャートと前記他の視標とを切り替えて前記視標光源から出射された光が進行する光軸上に位置させることを特徴とする請求項９に記載の眼屈折力測定装置。
【請求項１１】
前記アムスラーチャートは、前記視標呈示光学系において画像形成装置の表示画面上に表示されて形成されていることを特徴とする請求項１から請求項８のいずれか１項に記載の眼屈折力測定装置。
【請求項１２】
請求項１から請求項１１のいずれか１項に記載の眼屈折力測定装置であって、
さらに、前記被検眼に向けて前記主光軸上で眼屈折力とは異なる前記被検眼の他の光学特性を測定するための他の測定光を投影する眼特性測定投影光学系と、前記主光軸を通る前記他の測定光の前記被検眼からの反射光を受光する眼特性測定受光光学系と、を備えることを特徴とする眼屈折力測定装置。
【請求項１３】
被検眼の眼屈折力を測定する検眼装置であって、
自覚測定のために被検者に注視させる自覚視標として格子状のパターンからなるアムスラーチャートを前記被検眼に呈示する視標呈示光学系を備えることを特徴とする検眼装置。
【請求項１４】
前記視標呈示光学系は、前記アムスラーチャートが所定の大きさ寸法で前記被検眼から所定の距離となる位置に設けられたものと等しい状態で前記被検眼に呈示することを特徴とする請求項１３に記載の検眼装置。
【発明の詳細な説明】
【技術分野】
【０００１】
本発明は、被検眼の眼屈折力を測定する眼屈折力測定装置および検眼装置に関する。
【背景技術】
【０００２】
一般的な眼科検査や眼屈折検査として、眼屈折力測定装置（検眼装置）を用いて被検眼の眼屈折力を測定することが知られている。その眼科検査や眼屈折検査としては、黄斑変性症等のような網膜の中心（黄斑部）を含めた疾患もしくはその周辺の疾患の可能性を確認するものがあり、その方法としてアムスラーチャートを用いることが知られている（例えば、特許文献１参照）。このアムスラーチャートは、格子状のパターンとされており、被検者に中心位置を注視させて、その格子状のパターンがどのように見えるのかを当該被検者に確認させる所謂自覚測定を行うものである。アムスラーチャートを用いた自覚測定では、格子状のパターンが歪んで見えたり一部が欠けて見えたり一部がぼやけて見えたりしている場合、注視している被検眼に網膜の中心（黄斑部）を含めた疾患もしくはその周辺の疾患の可能性があるものと判断する。
【先行技術文献】
【特許文献】
【０００３】
【特許文献１】特開２００３−２６５４１２号公報
【発明の概要】
【発明が解決しようとする課題】
【０００４】
ところで、アムスラーチャートは、上記した自覚測定を行う場合、被検眼からの所定の距離（例えば、３０〜４０ｃｍ）となる位置で当該被検眼（被検者）と正対させた状態で、被検者の他方の眼を完全に覆いつつ当該被検者に中心位置を注視させる必要がある。そして、このアムスラーチャートは、紙や電子媒体等で形成されている。このため、アムスラーチャートでは、被検眼からの距離および被検眼に対する姿勢の適切なものとしつつ被検眼に呈示した状態で上記した自覚測定を行うことが容易ではなく、当該自覚測定を適切に行えない虞がある。また、アムスラーチャートでは、被検者の他方の眼を完全に覆う必要があることから、被検者によっては注視することの妨げとなり、上記した自覚測定を適切に行えない虞がある。これらのことから、アムスラーチャートを用いて上記した自覚測定を行うことには改善の余地がある。【０００５】
本発明は、上記の事情に鑑みて為されたもので、アムスラーチャートを用いた自覚測定を容易にかつ適切に行うことのできる眼屈折力測定装置（検眼装置）を提供することを目的とする。
【課題を解決するための手段】
【０００６】
上記した課題を解決するために、請求項１に記載の眼屈折力測定装置は、被検眼の眼底に向けて主光軸上で測定光を投影するレフ測定投影光学系と、前記主光軸を通る前記測定光の前記眼底での反射光を受光するレフ測定受光光学系と、を備え、前記レフ測定受光光学系での受光に基づいて前記被検眼の眼屈折力を測定する眼屈折力測定装置であって、自覚測定のために被検者に注視させる自覚視標として格子状のパターンからなるアムスラーチャートを、前記主光軸上で前記被検眼に呈示する視標呈示光学系を備えることを特徴とする。【０００７】
請求項２の眼屈折力測定装置は、請求項１に記載の眼屈折力測定装置であって、前記視標呈示光学系は、前記アムスラーチャートが所定の大きさ寸法で前記被検眼から所定の距離となる位置に設けられたものと等しい状態で前記被検眼に呈示することを特徴とする。【０００８】
請求項３の眼屈折力測定装置は、請求項１または請求項２に記載の眼屈折力測定装置であって、前記視標呈示光学系は、前記レフ測定受光光学系での受光に基づいて測定した前記被検眼の眼屈折力に応じて、前記アムスラーチャートを前記被検眼において遠くを見るときに適した度数となる位置または近くを見るときに適した度数となる位置に移動することを特徴とする。【０００９】
請求項４の眼屈折力測定装置は、請求項１から請求項３のいずれか１項に記載の眼屈折力測定装置であって、前記視標呈示光学系は、前記被検眼における網膜の中心に対応する範囲で前記アムスラーチャートを前記被検眼に呈示することを特徴とする。【００１０】
請求項５の眼屈折力測定装置は、請求項１から請求項４のいずれか１項に記載の眼屈折力測定装置であって、前記アムスラーチャートでは、中心位置に中心注視点が設けられているとともに、前記中心注視点を取り巻いて複数の周辺注視点が設けられていることを特徴とする。【００１１】
請求項６の眼屈折力測定装置は、請求項５に記載の眼屈折力測定装置であって、前記各周辺注視点は、前記視標呈示光学系により呈示された前記アムスラーチャート上での前記被検眼からの視野の周縁部に設けられていることを特徴とする。【００１２】
請求項７の眼屈折力測定装置は、請求項５または請求項６に記載の眼屈折力測定装置であって、前記アムスラーチャートは、正方形状を呈し、前記周辺注視点は、前記アムスラーチャートを、前記中心注視点を含む縦線および横線により４分割した際の４つの分割領域におけるそれぞれの中心位置に設けられていることを特徴とする。【００１３】
請求項８の眼屈折力測定装置は、請求項１から請求項７のいずれか１項に記載の眼屈折力測定装置であって、前記視標呈示光学系は、前記アムスラーチャートにおける格子状のパターンを描く線分を所定の色として前記被検眼に呈示すること特徴とする。【００１４】
請求項９の眼屈折力測定装置は、請求項１から請求項８のいずれか１項に記載の眼屈折力測定装置であって、前記視標呈示光学系は、視標光源を有し、前記アムスラーチャートは、前記視標呈示光学系において前記視標光源から出射された光を透過させる部材で形成されていることを特徴とする。【００１５】
請求項１０の眼屈折力測定装置は、請求項９に記載の眼屈折力測定装置であって、前記視標呈示光学系は、前記アムスラーチャートとは異なる他の視標を有し、前記アムスラーチャートと前記他の視標とを切り替えて前記視標光源から出射された光が進行する光軸上に位置させることを特徴とする。【００１６】
請求項１１の眼屈折力測定装置は、請求項１から請求項８のいずれか１項に記載の眼屈折力測定装置であって、前記アムスラーチャートは、前記視標呈示光学系において画像形成装置の表示画面上に表示されて形成されていることを特徴とする。【００１７】
請求項１２の眼屈折力測定装置は、請求項１から請求項１１のいずれか１項に記載の眼屈折力測定装置であって、さらに、前記被検眼に向けて前記主光軸上で眼屈折力とは異なる前記被検眼の他の光学特性を測定するための他の測定光を投影する眼特性測定投影光学系と、前記主光軸を通る前記他の測定光の前記被検眼からの反射光を受光する眼特性測定受光光学系と、を備えることを特徴とする。【００１８】
請求項１３の検眼装置は、被検眼の眼屈折力を測定する検眼装置であって、自覚測定のために被検者に注視させる自覚視標として格子状のパターンからなるアムスラーチャートを前記被検眼に呈示する視標呈示光学系を備えることを特徴とする。【００１９】
請求項１４の検眼装置は、請求項１３に記載の検眼装置であって、前記視標呈示光学系は、前記アムスラーチャートが所定の大きさ寸法で前記被検眼から所定の距離となる位置に設けられたものと等しい状態で前記被検眼に呈示することを特徴とする。
【発明の効果】
【００２０】
本発明の眼屈折力測定装置によれば、アムスラーチャートを用いた自覚測定を容易にかつ適切に行うことができる。【００２１】
上記した構成に加えて、前記視標呈示光学系は、前記アムスラーチャートが所定の大きさ寸法で前記被検眼から所定の距離となる位置に設けられたものと等しい状態で前記被検眼に呈示することとすると、アムスラーチャートをより適切な状態で被検眼に呈示しつつ当該アムスラーチャートを用いた自覚測定（アムスラーチャートテスト）を行うことができる。これにより、当該自覚測定（アムスラーチャートテスト）を適切に行うことができ、適切に疾患の可能性があるか否かを確認することができる。【００２２】
上記した構成に加えて、前記視標呈示光学系は、前記レフ測定受光光学系での受光に基づいて測定した前記被検眼の眼屈折力に応じて、前記アムスラーチャートを前記被検眼において遠くを見るときに適した度数となる位置または近くを見るときに適した度数となる位置に移動することとすると、両眼視補正をしたメガネを用いることなく、アムスラーチャートを被検者（被検眼）に見せることができる。このとき、被検眼における片眼のみの矯正値に近い状態でアムスラーチャートを見せつつ、その見え方の確認を行うことができる。このため、被検者がよりはっきりとアムスラーチャートが見える状態で、その見え方の確認を行うこととなるので、当該自覚測定（アムスラーチャートテスト）をより適切に行うことができ、より適切に疾患の可能性があるか否かを確認することができる。【００２３】
上記した構成に加えて、前記視標呈示光学系は、前記被検眼における網膜の中心に対応する範囲で前記アムスラーチャートを前記被検眼に呈示することとすると、その中心位置を固視目標として注視させた状態でアムスラーチャートの見え方の確認を行うことで、被検眼における網膜（眼底）の中心（黄斑部）に疾患の可能性があるか否かの確認をより適切に行うことができる。【００２４】
上記した構成に加えて、前記アムスラーチャートでは、中心位置に中心注視点が設けられているとともに、前記中心注視点を取り巻いて複数の周辺注視点が設けられていることとすると、視標呈示光学系により被検眼（被験者）に見せることのできるアムスラーチャートが小さなものとなる場合であっても、各周辺注視点を注視させつつ見え方の確認を行うことで、実際に見せているアムスラーチャートよりも大きな範囲で疾患の可能性があるか否かを確認することができる。【００２５】
上記した構成に加えて、前記各周辺注視点は、前記視標呈示光学系により呈示された前記アムスラーチャート上での前記被検眼からの視野の周縁部に設けられていることとすると、被検眼（被験者）に見せることのできる視野内のアムスラーチャートを用いて、最も大きな範囲で疾患の可能性があるか否かを確認することができる。【００２６】
上記した構成に加えて、前記アムスラーチャートは、正方形状を呈し、前記周辺注視点は、前記アムスラーチャートを、前記中心注視点を含む縦線および横線により４分割した際の４つの分割領域におけるそれぞれの中心位置に設けられていることとすると、４つの周辺注視点をそれぞれ注視させて見え方の確認を行うことにより、当該各周辺注視点で規定される正方形の領域の４倍の面積のアムスラーチャート上での疾患の可能性があるか否かを確認することができ、より効率良くアムスラーチャートを用いた自覚測定を行うことができる。【００２７】
上記した構成に加えて、前記視標呈示光学系は、前記アムスラーチャートにおける格子状のパターンを描く線分を所定の色として前記被検眼に呈示することとすると、例えば色に応じて反応（被験者が感じ取った見え方）が異なる場合であってもそれらも含めて適切に疾患の可能性があるか否かを判断することができる。【００２８】
上記した構成に加えて、前記視標呈示光学系は、視標光源を有し、前記アムスラーチャートは、前記視標呈示光学系において前記視標光源から出射された光を透過させる部材で形成されていることとすると、簡易な構成でアムスラーチャートを被検眼に呈示することができる。【００２９】
上記した構成に加えて、前記視標呈示光学系は、前記アムスラーチャートとは異なる他の視標を有し、前記アムスラーチャートと前記他の視標とを切り替えて前記視標光源から出射された光が進行する光軸上に位置させることとすると、様々な指標を被検眼に呈示することができ、使い勝手を向上させることができる。【００３０】
上記した構成に加えて、前記アムスラーチャートは、前記視標呈示光学系において画像形成装置の表示画面上に表示されて形成されていることとすると、より簡易な構成とすることができる。また、上述したようにアムスラーチャートの色を変化させる場合であっても、容易に対応することができる。さらに、各周辺注視点を自在に設けることができるので、使い勝手をより向上させることができる。【００３１】
上記した構成に加えて、さらに、前記被検眼に向けて前記主光軸上で眼屈折力とは異なる前記被検眼の他の光学特性を測定するための他の測定光を投影する眼特性測定投影光学系と、前記主光軸を通る前記他の測定光の前記被検眼からの反射光を受光する眼特性測定受光光学系と、を備えることとすると、より使い勝手を向上させることができる。【００３２】
被検眼の眼屈折力を測定する検眼装置であって、自覚測定のために被検者に注視させる自覚視標として格子状のパターンからなるアムスラーチャートを前記被検眼に呈示する視標呈示光学系を備えることとすると、アムスラーチャートを用いた自覚測定を容易にかつ適切に行うことができる。【００３３】
上記した構成に加えて、前記視標呈示光学系は、前記アムスラーチャートが所定の大きさ寸法で前記被検眼から所定の距離となる位置に設けられたものと等しい状態で前記被検眼に呈示することとすると、アムスラーチャートをより適切な状態で被検眼に呈示しつつ当該アムスラーチャートを用いた自覚測定（アムスラーチャートテスト）を行うことができる。これにより、当該自覚測定（アムスラーチャートテスト）を適切に行うことができ、適切に疾患の可能性があるか否かを確認することができる。
【図面の簡単な説明】
【００３４】
【図１】本発明に係る眼屈折力測定装置（検眼装置）の一例としての実施例１の眼屈折力測定装置１０の構成を模式的に示す説明図である。
【図２】眼屈折力測定装置１０の制御系の構成を示したブロック図である。
【図３】眼屈折力測定装置１０の光学的な構成を説明するための説明図である。
【図４】グリッドチャート３１ｖ（アムスラーチャート）の構成を説明するための説明図である。
【図５】ケラトリングパターン３７の構成を説明するための説明図である。
【図６】自覚測定を行う場面において、表示部１４の表示面１４ａに表示される表示内容を説明するための説明図である。
【図７】視標投影光学系３１により呈示されたグリッドチャート３１ｖ（アムスラーチャート）上での被検眼Ｅからの視野Ｖｆを模式的に示す説明図である。
【図８】各周辺注視点を注視させることによりグリッドチャート３１ｖ全体を見せた場合と同様の判断が可能となることを説明するための説明図であり、（ａ）は視野Ｖｆ内で周辺注視点Ｄ２を注視させた様子を示し、（ｂ）は（ａ）の状態をグリッドチャート３１ｖで中心注視点Ｄ１を注視させた状態に置き換えた様子を示す。
【図９】各周辺注視点を注視させることによりグリッドチャート３１ｖ全体を見せた場合と同様の判断が可能となることを説明するための説明図であり、（ａ）は視野Ｖｆ内で周辺注視点Ｄ３を注視させた様子を示し、（ｂ）は（ａ）の状態をグリッドチャート３１ｖで中心注視点Ｄ１を注視させた状態に置き換えた様子を示す。
【図１０】各周辺注視点を注視させることによりグリッドチャート３１ｖ全体を見せた場合と同様の判断が可能となることを説明するための説明図であり、（ａ）は視野Ｖｆ内で周辺注視点Ｄ４を注視させた様子を示し、（ｂ）は（ａ）の状態をグリッドチャート３１ｖで中心注視点Ｄ１を注視させた状態に置き換えた様子を示す。
【図１１】各周辺注視点を注視させることによりグリッドチャート３１ｖ全体を見せた場合と同様の判断が可能となることを説明するための説明図であり、（ａ）は視野Ｖｆ内で周辺注視点Ｄ５を注視させた様子を示し、（ｂ）は（ａ）の状態をグリッドチャート３１ｖで中心注視点Ｄ１を注視させた状態に置き換えた様子を示す。
【図１２】他の一例としてのグリッドチャート３１ｖ´（アムスラーチャート）が、視標投影光学系３１により呈示された際の被検眼Ｅからの視野Ｖｆを模式的に示す図７と同様の説明図である。
【図１３】本発明に係る検眼装置の一例としての実施例２の自覚式検眼装置６０の構成を模式的に示す説明図である。
【図１４】自覚式検眼装置６０の両フォロプタ７１に収容された各回転ディスク７３の構成を示す説明図である。
【図１５】自覚式検眼装置６０のコントローラ６３の構成を示す説明図である。
【図１６】自覚式検眼装置６０の制御系の構成を示したブロック図である。
【図１７】第一の表示モードにおいて表示部７５（表示画面７５ｂ）に表示される表示内容を説明するための説明図である。
【図１８】第二の表示モードにおいて表示部７５（表示画面７５ｂ）に表示される表示内容を説明するための説明図である。
【図１９】自覚式検眼装置６０により遠用検査を行う様子を示す説明図である。
【図２０】自覚式検眼装置６０により近用検査を行う様子を示す説明図である。
【発明を実施するための形態】
【００３５】
以下に、本願発明に係る眼屈折力測定装置（検眼装置）の発明の実施の形態について図面を参照しつつ説明する。
【実施例１】
【００３６】
本発明に係る眼屈折力測定装置（検眼装置）の一実施例１としての眼屈折力測定装置１０を、図１から図１１を用いて説明する。図１に示す眼屈折力測定装置１０は、基本的に被検眼Ｅ（図３等参照）の眼屈折力を測定するものである。この眼屈折力測定装置１０は、実施例１では、他覚測定により被検眼Ｅの眼屈折力を含む光学特性（眼特性）を測定する他覚測定機能と、自覚測定により被検眼Ｅの眼屈折力を含む光学特性（眼特性）を測定する自覚測定機能と、を有するものとされている。その被検眼Ｅについては、図３において、眼底（網膜）Ｅｆおよび角膜（前眼部）Ｅｃを模式的に示している。【００３７】
この眼屈折力測定装置１０は、ベース１１に駆動部１２（図２参照）を介して装置本体部１３が移動可能に設けられて構成されている。その装置本体部１３には、内方に後述する眼屈折力測定装置１０の光学系（図３参照）が設けられ、外方に表示部１４、顎受部１５および額当部１６が設けられている。【００３８】
その表示部１４は、液晶ディスプレイで形成されており、後述する制御部２１（図２参照）の制御下で、被検眼Ｅの前眼部（角膜Ｅｃ）の画像（前眼部像Ｅ´）や各種の操作画面や測定結果等を表示面１４ａに表示させる（図６参照）。表示部１４は、実施例１では、タッチパネルの機能を搭載しており、眼屈折力を含む光学特性（眼特性）を測定するための操作や、前眼部（角膜Ｅｃ）を撮影するための操作や、装置本体部１３を移動するための操作や、自覚測定と他覚測定との切り替えの操作や、他覚測定のための視標を切り替える操作等を行うことが可能とされている。また、表示部１４は、タッチパネルの機能を利用して、上述した各操作のためのアイコンとしての各種の記号（図６参照）を表示し、当該各記号に触れることによる操作を可能としている。なお、測定を行うための操作は、ベース１１や装置本体部１３や表示部１４の周縁部に測定スイッチを設けて、当該測定スイッチの操作により行うものであってもよい。また、装置本体部１３を移動するための操作は、ベース１１や装置本体部１３や表示部１４の周縁部にコントロールレバーや移動操作スイッチを設けて、当該コントロールレバーや当該移動操作スイッチの操作により行うものであってもよい。【００３９】
顎受部１５および額当部１６は、測定時に装置本体部１３に対して被検者（患者）の顔、すなわち被検眼Ｅの位置を固定するものであり、ベース１１に固定されて設けられている。その顎受部１５は、被検者が顎を載せる箇所となり、額当部１６は、当該被検者が額を宛がう箇所となる。装置本体部１３では、顎受部１５と額当部１６とにより被検者の顔を固定すると、当該被検者の被検眼Ｅが後述するケラトリングパターン３７およびその中心に位置する対物レンズ３１ｑ（図３および図５参照）に対向される。このため、眼屈折力測定装置１０の光学系による被検眼Ｅの適切な測定（他覚測定および自覚測定）が可能となる。【００４０】
この眼屈折力測定装置１０では、表示部１４と、顎受部１５および額当部１６と、が、装置本体部１３を挟んで両側に設けられており、通常の使用時（図１参照）において、表示部１４（その表示面１４ａ）が検者の側となり、顎受部１５および額当部１６が被検者の側となる。その表示部１４は、図示は略すが、装置本体部１３に回転自在に支持されており、表示面１４ａの向きを変更すること、例えば、表示面１４ａを被検者側に向けることや、表示面１４ａを側方（Ｘ軸方向）に向けることが可能とされている。その装置本体部１３は、駆動部１２により、ベース１１に対して移動すること、すなわち顎受部１５と額当部１６とにより固定された被検眼Ｅ（被検者の顔）に対して移動することが可能とされている。【００４１】
その駆動部１２は、装置本体部１３をベース１１に対して、上下方向（Ｙ軸方向）と、前後方向（Ｚ軸方向（通常の使用時に表示部１４と、顎受部１５および額当部１６と、が並ぶ方向））と、それらに直交する左右方向（Ｘ軸方向）と、に移動させる。なお、この実施例１では、上下方向の上側をＹ軸方向の正側とし、前後方向の被検者側（図１を正面視して左奥側）をＺ軸方向の正側とし、左右方向において図１を正面視して左手前側をＸ軸方向の正側とする（図１の矢印参照）。実施例１では、駆動部１２は、図２に示すように、Ｘモータ１２ａとＹモータ１２ｂとＺモータ１２ｃとを有し、それぞれを駆動させるためのＸドライバ１２ｄとＹドライバ１２ｅとＺドライバ１２ｆとを有する。【００４２】
Ｘモータ１２ａは、ベース１１に対して装置本体部１３をＸ軸方向（左右方向）へと移動（変位）させる。換言すると、Ｘモータ１２ａは、駆動部１２において、装置本体部１３をＸ軸方向（左右方向）への移動させるための構成となる。このＸモータ１２ａは、制御部２１によりＸドライバ１２ｄが制御されることで適宜駆動される。【００４３】
Ｙモータ１２ｂは、ベース１１に対して装置本体部１３をＹ軸方向（上下方向）へと移動（変位）させる。換言すると、Ｙモータ１２ｂは、駆動部１２において、装置本体部１３をＹ軸方向（上下方向）への移動させるための箇所となる。このＹモータ１２ｂは、制御部２１によりＹドライバ１２ｅが制御されることで適宜駆動される。【００４４】
Ｚモータ１２ｃは、ベース１１に対して装置本体部１３をＺ軸方向（前後方向）へと移動（変位）させる。換言すると、Ｚモータ１２ｃは、駆動部１２において、装置本体部１３をＺ軸方向（前後方向）への移動させるための箇所となる。このＺモータ１２ｃは、制御部２１によりＺドライバ１２ｆが制御されることで適宜駆動される。【００４５】
このため、駆動部１２は、Ｘモータ１２ａとＹモータ１２ｂとＺモータ１２ｃとを適宜駆動することにより、ベース１１に対して装置本体部１３を上下方向（Ｙ軸方向）、前後方向（Ｚ軸方向）、および左右方向（Ｘ軸方向）に適宜移動させる。換言すると、制御部２１は、駆動部１２を適宜駆動制御する、すなわちＸドライバ１２ｄとＹドライバ１２ｅとＺドライバ１２ｆとを介してＸモータ１２ａとＹモータ１２ｂとＺモータ１２ｃとを適宜駆動することにより、ベース１１に固定された顎受部１５および額当部１６に対して装置本体部１３を適宜移動させることができる。【００４６】
その制御部２１は、眼屈折力測定装置１０における電気制御系を構成するものであり、内蔵する記憶部２１ａに格納されたプログラムにより眼屈折力測定装置１０の各部を統括的に制御する。制御部２１は、後述するように、合焦判断回路２２からの検出結果（その信号）やアライメント判定回路２３からの検出結果（その信号）に基づいて、駆動部１２を適宜駆動制御してベース１１に対する装置本体部１３の位置を調整する。また、制御部２１は、後述する前眼部観察光学系３２（図３参照）の撮像素子３２ｇが取得した画像に基づいて表示部１４（その表示面１４ａ）にその画像を表示させる。さらに、制御部２１は、後述する視標光源３１ａ、グレア用光源３１ｗ、前眼部照明光源３２ａ、レフ測定用光源３３ａ、ＸＹ方向検出用光源３５ａ、ケラトリング状指標投影光源３６、Ｚ方向検出用光源３８ａに、それぞれに対応する点灯制御を行うためのドライバ（駆動機構）を介して接続されており、これらの各光源の発光を適宜制御する。【００４７】
ついで、制御部２１は、後述する指標切替部３１ｄ（図３参照）の切替駆動部３１ｓに接続されており、当該指標切替部３１ｄのターレット部３１ｒ（図３参照）に保持された視標を切り替えるべく切替駆動部３１ｓを駆動制御する。加えて、制御部２１は、後述する合焦レンズ３１ｈ（図３参照）を適宜移動させるべく視標合焦機構３１Ｄを駆動制御し、指標ユニット３３Ｕ（図３参照）を適宜移動させるべく指標移動機構３３Ｄを駆動制御し、合焦レンズ３４ｅ（図３参照）を適宜移動させるべく指標合焦機構３４Ｄを駆動制御する。また、制御部２１は、後述するＶＣＣレンズ３１ｋ（図３参照）における１対のレンズの相対的な姿勢および一体的な姿勢を調整すべくその駆動部（図示せず）を駆動制御する。さらに、制御部２１は、後述するシャッター３２ｃ（図３参照）を開いた状態と閉じた状態とで切り替えるべく当該シャッター３２ｃを駆動制御する。【００４８】
次に、眼屈折力測定装置１０の制御系の構成を、図２を用いて説明する。眼屈折力測定装置１０は、図２に示すように、上述した制御部２１に加えて、合焦判断回路２２とアライメント判定回路２３とを有する。その制御部２１には、撮像素子３２ｇが接続されており、その撮像素子３２ｇの受光に基づく信号、すなわち被検眼Ｅの前眼部像Ｅ´（図６参照）や、後述する眼屈折力測定（レフ測定）用リング状指標像（その画像）や、ケラトリング状指標像（その画像）や、ＸＹアライメント指標光の輝点像（その画像）や、Ｚ方向検出輝点像（その画像）としての信号が伝送される。そして、制御部２１は、表示部１４に接続されており、撮像素子３２ｇからの受光信号に基づいて適宜画像信号を生成し、撮像素子３２ｇからの受光信号に基づく画像を表示部１４（その表示面１４ａ）に適宜表示させる（図６等参照）。制御部２１は、シャッター３２ｃに接続されており、上述したように当該シャッター３２ｃを駆動制御する。制御部２１は、駆動部１２（そのＸドライバ１２ｄ、Ｙドライバ１２ｅおよびＺドライバ１２ｆ）に接続されており、上述したように駆動部１２を適宜駆動制御することによりベース１１に対して装置本体部１３を適宜移動させる。制御部２１は、表示部１４への操作に基づいて、あるいは記憶部２１ａに格納されたプログラムに従って、上述した各動作を適宜実行する。【００４９】
合焦判断回路２２は、撮像素子３２ｇからの検出信号に基づいて、後述する眼屈折力測定装置１０の光学的な構成（装置本体部１３）が被検眼Ｅの眼底Ｅｆ（図３参照）に合焦しているか否か、すなわち前後方向（Ｚ軸方向）のズレ量が許容範囲内であるか否かを検出する。この合焦判断回路２２では、その合焦（ズレ量）の判断に、撮像素子３２ｇで取得した後述するケラトリング状指標投影光源３６により形成されるケラトリング状指標像（その画像）と、後述するＺ方向検出平行投影系３８により形成されるＺ方向検出輝点標（その画像）と、の信号を用いる。そして、合焦判断回路２２は、その検出結果（その信号）を制御部２１に出力する。すると、制御部２１は、合焦判断回路２２からの検出結果（その信号）に基づいて装置本体部１３をベース１１に対してＺ軸方向（前後方向）に移動させ、当該合焦判断回路２２から合焦完了（ズレ量が許容範囲内である旨）を示す信号を受けるまでその移動を行うことにより、Ｚアライメントを自動で行うことができる。【００５０】
アライメント判定回路２３は、撮像素子３２ｇからの検出信号に基づいて、後述する眼屈折力測定装置１０の光学的な構成（装置本体部１３）の主光軸Ｏ１と被検眼Ｅの光軸とのＸ−Ｙ方向のズレ量が許容範囲内であるか否かを検出するものである。そのズレ量は、例えば、左右方向（Ｘ軸方向）でのズレ量およびその方向と、上下方向（Ｙ軸方向）でのズレ量およびその方向と、で表すことができる。このアライメント判定回路２３では、そのズレ量の判断に、撮像素子３２ｇで取得した後述するＸＹアライメント光投影光学系３５で形成したＸＹアライメント指標像（輝点像）（その画像）の信号を用いる。そして、アライメント判定回路２３は、その検出結果（その信号）を制御部２１に出力する。すると、制御部２１は、アライメント判定回路２３からの検出結果（その信号）に基づいて装置本体部１３をベース１１に対してＸ軸方向（左右方向）およびＹ軸方向（上下方向）に移動させ、当該アライメント判定回路２３からズレ量が許容範囲内である旨を示す信号を受けるまでその移動を行うことにより、Ｘ−Ｙアライメントを自動で行うことができる。【００５１】
その装置本体部１３には、上述したように、外形形状を形作る筐体１３ａの内方に眼屈折力測定装置１０における光学系の構成が設けられている。この眼屈折力測定装置１０は、被検眼Ｅの光学特性（眼特性）を測定することが可能とされており、実施例１では、被検眼Ｅの眼屈折力（球面度数、乱視度数、乱視軸角度等）と、被検眼Ｅの角膜Ｅｃの形状と、を測定することが可能とされている。眼屈折力測定装置１０は、被検眼Ｅの眼屈折力および角膜Ｅｃの形状を他覚測定により測定することが可能とされているとともに（他覚測定機能）、被検眼Ｅの眼屈折力を自覚測定により測定することが可能とされている（自覚測定機能）。その自覚測定とは、見え方を被検者に問う等により被検者自身が感じ取ったことに基づいて測定を行うものであり、他覚測定とは、被検者が感じ取ったことに基づくことなく測定を行うものである。そして、眼屈折力測定装置１０では、装置本体部１３（その筐体１３ａ）内の光学系の構成により、上記した測定が可能とされている。【００５２】
次に、図３を用いて、眼屈折力測定装置１０の光学的な構成を説明する。眼屈折力測定装置１０は、図３に示すように、視標投影光学系３１と前眼部観察光学系３２とレフ測定投影光学系３３とレフ測定受光光学系３４とＸＹアライメント光投影光学系３５とを備える。【００５３】
その視標投影光学系３１は、被検眼Ｅを固視・雲霧させるために、その被検眼Ｅの眼底Ｅｆに固視のための視標（固視標）を投影する。また、視標投影光学系３１は、自覚測定を行うために、被検者に見え方を問うべく被検眼Ｅの眼底Ｅｆに被検者に注視させるための視標（自覚視標）を投影する。前眼部観察光学系３２は、被検眼Ｅの前眼部（角膜Ｅｃ）を観察する。レフ測定投影光学系３３は、被検眼Ｅの眼屈折力を測定するために、眼屈折力測定（レフ測定）用リング状指標としてのパターン光束（測定光）を、その被検眼Ｅの眼底Ｅｆに投影する。レフ測定受光光学系３４は、被検眼Ｅの眼底Ｅｆから反射された眼屈折力測定（レフ測定）用リング状指標を撮像素子３２ｇに受光させる。このレフ測定投影光学系３３およびレフ測定受光光学系３４は、前眼部観察光学系３２および後述するケラトリング状指標投影光源３６とともに、角膜形状・眼屈折力測定光学系を構成する。ＸＹアライメント光投影光学系３５は、Ｘ−Ｙ方向でのアライメント状態を検出するために、指標光を被検眼Ｅに向けて投影する。【００５４】
視標投影光学系３１は、光軸Ｏ２上に、視標光源３１ａと色補正フィルタ３１ｂとコリメータレンズ３１ｃと指標切替部３１ｄとハーフミラー３１ｅとリレーレンズ３１ｆとミラー３１ｇと合焦レンズ３１ｈとリレーレンズ３１ｉとフィールドレンズ３１ｊとバリアブルクロスシリンダレンズ３１ｋ（以下では、ＶＣＣレンズ３１ｋともいう）とミラー３１ｍとダイクロイックフィルター３１ｎとダイクロイックフィルター３１ｐと対物レンズ３１ｑとを有する。【００５５】
その指標切替部３１ｄは、視標投影光学系３１により被検眼Ｅの眼底Ｅｆに投影（被検眼Ｅに呈示）する視標を切り替えるものであり、実施例１では、ターレット部３１ｒと切替駆動部３１ｓとで構成されている。そのターレット部３１ｒは、回転軸３１ｔを回転中心として回転可能に設けられており、その回転方向で見て複数の視標を支持するものとされている。そして、ターレット部３１ｒは、回転軸３１ｔを中心として回転することにより、支持する複数の視標のうちのいずれか１つを光軸Ｏ２上に位置させることが可能とされている。切替駆動部３１ｓは、制御部２１（図２参照）の制御下で駆動されることにより、回転軸３１ｔを介してターレット部３１ｒを回転させ、ターレット部３１ｒの回転姿勢を変化させる。このため、指標切替部３１ｄでは、制御部２１の制御下で、ターレット部３１ｒで支持する複数の視標のうちのいずれか１つを光軸Ｏ２上に位置させる。その各視標は、実施例１では、視標光源３１ａから出射されて色補正フィルタ３１ｂにより補正された光（光束）を透過させることにより、後述する視標投影光学系３１による被検眼Ｅの眼底Ｅｆへの呈示を可能としている。【００５６】
ターレット部３１ｒは、実施例１では、固視のための視標（固視標）としての風景チャート３１ｕと、自覚測定のために被検者に注視させるための視標（自覚視標）としてのグリッドチャート３１ｖと、を支持している。その風景チャート３１ｕは、固視のために被検者に注視させるための視標（固視標）であり、注視し易い箇所を含む風景を示すものとされている。【００５７】
また、グリッドチャート３１ｖは、図４に示すように、格子状のパターンとされた所謂アムスラーチャートであり、格子状のパターンがどのように見えるのかを当該被検者に確認させる自覚測定としてのグリッドチャートテスト（アムスラーチャートテスト）を行うものである。このグリッドチャート３１ｖ（アムスラーチャート）は、実施例１では、格子状のパターンの箇所で、視標光源３１ａから出射されて色補正フィルタ３１ｂにより補正された光（光束）を透過させるものとされており、格子状のパターンの箇所が明るいものとされるとともに、それ以外の箇所が暗いものとされている。なお、グリッドチャート３１ｖ（アムスラーチャート）は、格子状のパターン以外の箇所で上述した光を透過させて、格子状のパターンの箇所が暗いものとされるとともに、それ以外の箇所が明るいものとされているものであってもよい。【００５８】
グリッドチャート３１ｖは、実施例１では、縦方向および横方向にそれぞれ２０個のグリッド（マス目）が並べられて構成されている。そして、実施例１のグリッドチャート３１ｖでは、中心位置に１つの中心注視点Ｄ１が設けられているとともに、それを取り巻くように４つの周辺注視点（Ｄ２〜Ｄ５）が設けられている。その４つの周辺注視点は、中心注視点Ｄ１（中心位置）から縦方向および横方向にグリッド５つ分（５マス分）だけずれた位置に設けられており、左上のものを周辺注視点Ｄ２とし、右上のものを周辺注視点Ｄ３とし、左下のものを周辺注視点Ｄ４とし、右下のものを周辺注視点Ｄ５としている。すなわち、４つの周辺注視点（Ｄ２〜Ｄ５）は、中心注視点Ｄ１（中心位置）を含む縦線および横線でグリッドチャート３１ｖを４分割した際、左上の分割領域の中心位置に周辺注視点Ｄ２が位置し、右上の分割領域の中心位置に周辺注視点Ｄ３が位置し、左下の分割領域の中心位置に周辺注視点Ｄ４が位置し、右下の分割領域の中心位置に周辺注視点Ｄ５が位置している。このグリッドチャート３１ｖ（アムスラーチャート）を用いた自覚測定、すなわちグリッドチャートテスト（アムスラーチャートテスト）では、格子状のパターンが歪んで見えたり一部が欠けて見えたり一部がぼやけて見えたりしている場合、注視している被検眼Ｅに網膜（眼底）Ｅｆの中心（黄斑部）を含めた疾患もしくはその周辺の疾患の可能性があるものと判断する。【００５９】
加えて、ターレット部３１ｒは、図示は略すが、自覚測定のために被検者に注視させるための視標（自覚視標）としてのＶＡ（Ｖｉｓｕａｌ  Ａｃｕｉｔｙ）チャートを支持している。そのＶＡチャートは、被検者に見え方を問うこと（自覚測定）により視力検査を行うための自覚視標であり、視力毎に規定の大きさ寸法とされたアルファベットや平仮名等の文字やランドルト環等が表記されている。【００６０】
さらに、ターレット部３１ｒは、図示は略すが、自覚視標として、偏光レッドグリーン（Ｒ＆Ｄ）テストチャート、精密立体視テストチャート、立体視テストチャート、十字斜位テストチャート、不等像視テストチャート、回旋斜位テストチャート等の中から、１つもしくは複数を支持するものとすることができる。なお、実施例１では、固視標として風景を示す風景チャート３１ｕを用いていたが、固視のために被検者に注視させるための視標であればよく、実施例１の構成に限定されるものではない。【００６１】
視標光源３１ａは、図３に示すように、ターレット部３１ｒにより支持されて光軸Ｏ２上に位置された視標を被検眼Ｅに投影するための光源であり、実施例１では、白色のＬＥＤが用いられている。合焦レンズ３１ｈは、被検眼Ｅを固視・雲霧させるべく、視標合焦機構３１Ｄにより視標投影光学系３１の光軸Ｏ２に沿って移動可能とされている。その視標合焦機構３１Ｄは、制御部２１（図２参照）の制御下で駆動されることにより、合焦レンズ３１ｈを光軸Ｏ２上の任意の位置に移動させる。ＶＣＣレンズ３１ｋは、１対のレンズがそれぞれ独立して回転することが可能とされており、両レンズが互いに逆方向に回転されることにより乱視度数を変更させ、両レンズが同じ方向に一体的に回転されることにより乱視軸角度を変更させる。このＶＣＣレンズ３１ｋは、図示を略す駆動部が制御部２１（図２参照）の制御下で駆動されることにより、乱視検査において乱視度数および乱視軸角度が調整される。なお、ダイクロイックフィルター３１ｐと対物レンズ３１ｑとは、それらが設けられた位置が、前眼部観察光学系３２（眼屈折力測定装置１０の光学的な構成）における主光軸Ｏ１上とされている。このため、眼屈折力測定装置１０では、測定を行う際に、顎受部１５および額当部１６により顔が固定された被検者の被検眼Ｅが主光軸Ｏ１上に位置されることとなる。【００６２】
加えて、視標投影光学系３１では、光軸Ｏ２´上に、グレア用光源３１ｗが設けられている。その光軸Ｏ２´は、視標投影光学系３１において、ハーフミラー３１ｅからリレーレンズ３１ｆを経てミラー３１ｇに至るまでの間における光軸Ｏ２をハーフミラー３１ｅから延長させたものとされている。グレア用光源３１ｗは、視標投影光学系３１により視標を呈示された被検眼Ｅに対してグレア光を投影させるものであり、実施例１ではＬＥＤが用いられている。このグレア用光源３１ｗは、被検眼Ｅに白内障があるか否かを判別するグレアテストを行う際に制御部２１（図２参照）の制御下で点灯される。すると、そのグレア用光源３１ｗから出射されたグレア用の光束は、ハーフミラー３１ｅを透過して視標投影光学系３１の光軸Ｏ２上を進行することとなり、後述するターゲット光束と同様に被検眼Ｅへと進行する。【００６３】
この視標投影光学系３１では、視標光源３１ａから白色光を出射し、その白色光を色補正フィルタ３１ｂで所望の色とした後にコリメータレンズ３１ｃにより平行光束とし、指標切替部３１ｄ（そこで支持されて光軸Ｏ２上に位置された視標）を透過させてターゲット光束とする。そして、視標投影光学系３１では、ターゲット光束を、ハーフミラー３１ｅで反射してリレーレンズ３１ｆを通した後にミラー３１ｇで反射して合焦レンズ３１ｈへと進行させる。視標投影光学系３１では、ターゲット光束を、合焦レンズ３１ｈ、リレーレンズ３１ｉ、フィールドレンズ３１ｊおよびＶＣＣレンズ３１ｋを通した後、ミラー３１ｍにより反射し、ダイクロイックフィルター３１ｎを通過させてダイクロイックフィルター３１ｐへと進行させる。そして、視標投影光学系３１では、そのターゲット光束をダイクロイックフィルター３１ｐで前眼部観察光学系３２における主光軸Ｏ１上へと反射して、対物レンズ３１ｑを経て被検眼Ｅへと進行させる。これにより、視標投影光学系３１では、指標切替部３１ｄにより光軸Ｏ２上に位置させた視標を、前眼部観察光学系３２（眼屈折力測定装置１０の光学的な構成）における主光軸Ｏ１上で、被検眼Ｅに呈示（投影）することができる。【００６４】
このとき、視標投影光学系３１では、グリッドチャート３１ｖ（図４参照）を視標投影光学系３１の光軸Ｏ２上に位置させた場合、当該グリッドチャート３１ｖが所定の大きさ寸法で被検眼Ｅから３０〜４０ｃｍの距離となる位置に設けられたものと等しい状態として、当該被検眼Ｅにグリッドチャート３１ｖを呈示する。さらに、視標投影光学系３１では、被検眼Ｅに呈示するグリッドチャート３１ｖの大きさ寸法を小さくすることが可能とされている。この視標投影光学系３１では、光路上や指標切替部３１ｄのターレット部３１ｒ上にマスク部材を着脱自在に設けることにより、呈示するグリッドチャート３１ｖの大きさ寸法を小さくする。なお、指標切替部３１ｄのターレット部３１ｒに、予め異なる大きさ寸法の複数のグリッドチャート３１ｖを設けるものとしてもよい。このため、視標投影光学系３１は、被検眼Ｅに対して自覚測定のために注視させる自覚視標としての格子状のパターンからなるアムスラーチャート（グリッドチャート３１ｖ）を呈示する視標呈示光学系として機能する。【００６５】
視標投影光学系３１は、風景チャート３１ｕを経て被検眼Ｅに投影した固視標としてのターゲット光束を、被検者に固視目標として注視させることにより、当該被検者の視線を固定する。また、視標投影光学系３１は、被検者に固視目標として注視させた状態から、ピントが合わない位置まで合焦レンズ３１ｈを移動させることにより、被検眼Ｅを雲霧状態とする。加えて、視標投影光学系３１は、自覚視標としてのチャート（グリッドチャート３１ｖ等）を経て被検眼Ｅに投影した自覚視標としてのターゲット光束を、被検者に注視させることにより、当該自覚視標に応じた自覚測定を行う。その自覚測定においてグリッドチャート３１ｖを用いた場合については、後に詳細に説明する。また、ＶＡチャートを用いた場合、視力検査を行うことができ、他のチャートを用いた場合、当該チャートに則ったテストを行うことができる。【００６６】
前眼部観察光学系３２は、前眼部照明光源３２ａを有するとともに、主光軸Ｏ１上に、ハーフミラー３２ｂとシャッター３２ｃとリレーレンズ３２ｄとダイクロイックフィルター３２ｅと結像レンズ３２ｆと撮像素子３２ｇとを有し、視標投影光学系３１と対物レンズ３１ｑおよびダイクロイックフィルター３１ｐを共用する。撮像素子３２ｇは、二次元固体撮像素子であり、実施例１ではＣＣＤ（電荷結合素子）イメージセンサを用いている。【００６７】
前眼部照明光源３２ａは、被検眼Ｅの前眼部（角膜Ｅｃ）を照明するための光源である。この前眼部照明光源３２ａは、装置本体部１３における前後方向の被検者側（Ｚ軸方向の正側）の端部において、後述するケラトリングパターン３７を取り囲むように複数個（図３には２つのみ示す）設けられている。各前眼部照明光源３２ａは、点灯されることで被検眼Ｅの前眼部（角膜Ｅｃ）を直接照明する。【００６８】
この前眼部観察光学系３２では、各前眼部照明光源３２ａから出射した照明光束で被検眼Ｅの前眼部（角膜Ｅｃ）を照明して、その前眼部で反射された照明光束を対物レンズ３１ｑで取得する。このとき、前眼部観察光学系３２では、シャッター３２ｃを開いた状態として、主光軸Ｏ１上の光路を開けておく。前眼部観察光学系３２では、その反射された照明光束を、対物レンズ３１ｑを経て、ダイクロイックフィルター３１ｐおよびハーフミラー３２ｂを通して、リレーレンズ３２ｄおよびダイクロイックフィルター３２ｅを経て結像レンズ３２ｆにより撮像素子３２ｇ（その受光面）上に結像させる。その撮像素子３２ｇは、取得した画像に基づく画像信号を制御部２１（図２参照）に出力する。その制御部２１は、入力された画像信号に基づいて、前眼部（角膜Ｅｃ）の画像を表示部１４（図１参照）に表示させる（図６参照）。このため、前眼部観察光学系３２では、撮像素子３２ｇ（その受光面）上に前眼部（角膜Ｅｃ）の像を形成することができ、表示部１４に当該前眼部の画像（前眼部像Ｅ´）を表示させることができる。なお、アライメント完了後の屈折力測定時には、前眼部観察光学系３２の前眼部照明光源３２ａは消灯され、シャッター３２ｃを閉じた状態とされて主光軸Ｏ１上の光路が閉じるものとすることができる。【００６９】
レフ測定投影光学系３３は、光軸Ｏ３上に、レフ測定用光源３３ａとコリメータレンズ３３ｂと円錐プリズム３３ｃとレフ測定リング３３ｄとリレーレンズ３３ｅと瞳リング３３ｆとフィールドレンズ３３ｇと穴開きプリズム３３ｈとロータリープリズム３３ｉとを有し、視標投影光学系３１とダイクロイックフィルター３１ｎ、ダイクロイックフィルター３１ｐおよび対物レンズ３１ｑを共用する。そのレフ測定用光源３３ａと瞳リング３３ｆとは光学的に共役な位置に配置し、レフ測定リング３３ｄと被検眼Ｅの眼底Ｅｆとは光学的に共役な位置に配置している。また、レフ測定用光源３３ａ、コリメータレンズ３３ｂ、円錐プリズム３３ｃおよびレフ測定リング３３ｄは、指標ユニット３３Ｕを構成し、この指標ユニット３３Ｕは、指標移動機構３３Ｄによりレフ測定投影光学系３３の光軸Ｏ３に沿って一体に移動可能とされている。【００７０】
レフ測定投影光学系３３では、レフ測定用光源３３ａから出射した光束をコリメータレンズ３３ｂで平行光束とし、円錐プリズム３３ｃを経てレフ測定リング３３ｄへと進行させる。その光束は、レフ測定リング３３ｄに形成されたリング状のパターン部分を透過して眼屈折力測定（レフ測定）用リング状指標としてのパターン光束とされる。このレフ測定投影光学系３３では、そのパターン光束をリレーレンズ３３ｅ、瞳リング３３ｆおよびフィールドレンズ３３ｇを経て穴開きプリズム３３ｈへと進行させ、その穴開きプリズム３３ｈの反射面により反射して、ロータリープリズム３３ｉを経てダイクロイックフィルター３１ｎへと進行させる。そして、レフ測定投影光学系３３では、パターン光束をダイクロイックフィルター３１ｎで反射した後にダイクロイックフィルター３１ｐで反射することで、前眼部観察光学系３２（眼屈折力測定装置１０の光学的な構成）の主光軸Ｏ１上に進行させる。そして、レフ測定投影光学系３３では、パターン光束を、対物レンズ３１ｑにより被検眼Ｅの眼底Ｅｆに結像させる。これにより、レフ測定投影光学系３３では、前眼部観察光学系３２（眼屈折力測定装置１０の光学的な構成）における主光軸Ｏ１上で、測定光としての眼屈折力測定（レフ測定）用リング状指標のパターン光束を、被検眼Ｅの眼底Ｅｆに向けて投影することができる。【００７１】
このレフ測定投影光学系３３には、対物レンズ３１ｑの前方側にケラトリング状指標投影光源３６が設けられている。このケラトリング状指標投影光源３６は、ケラトリング（角膜形状測定用リング）パターン３７上において被検眼Ｅ（角膜Ｅｃ）から所定の距離とされて、前眼部観察光学系３２の主光軸Ｏ１に関して同心状に設けられている。そのケラトリングパターン３７は、図５に示すように、全体に板状を呈し、主光軸Ｏ１を中心とする中心穴３７ａと、主光軸Ｏ１に関する同心位置で環状を呈する複数のスリット３７ｂと、主光軸Ｏ１から等しい位置で対を為す透過穴３７ｃと、を有する。ケラトリングパターン３７は、中心穴３７ａの中心位置が主光軸Ｏ１と一致されており、当該中心穴３７ａから対物レンズ３１ｑを露呈させている。ケラトリング状指標投影光源３６は、ケラトリングパターン３７のスリット３７ｂに対応して設けられており、その対応するスリット３７ｂを経て被検眼Ｅ（角膜Ｅｃ）にケラトリング状指標としての光束（測定光）を投影する。その光束は、被検眼Ｅの角膜Ｅｃに投影されることで、その角膜Ｅｃにケラトリング状指標を形成する。ケラトリング状指標（その光束）は、被検眼Ｅの角膜Ｅｃで反射されることで、上記した前眼部観察光学系３２により撮像素子３２ｇ上に結像される。このため、前眼部観察光学系３２では、表示部１４において、前眼部（角膜Ｅｃ）の画像に重ねてケラトリング状指標の像（画像）を表示させることができる。【００７２】
また、レフ測定投影光学系３３には、図３に示すように、ケラトリングパターン３７の後方側に、Ｚ方向検出平行投影系３８が設けられている。そのＺ方向検出平行投影系３８では、Ｚ方向検出用光源３８ａと集光レンズ３８ｂとが、ケラトリングパターン３７の一対の透過穴３７ｃ（図５参照）に対応して設けられている。Ｚ方向検出平行投影系３８は、各Ｚ方向検出用光源３８ａから出射した光束を対応する集光レンズ３８ｂで集光し、ケラトリングパターン３７の対応する透過穴３７ｃ（図５参照）を経て被検眼Ｅへと進行させてＺ方向検出輝点を形成する。このＺ方向検出平行投影系３８は、形成したＺ方向検出輝点を、上述したケラトリング状指標投影光源３６が形成するケラトリング状指標と併せて用いることで、前後方向（Ｚ軸方向）での位置の調節、いわゆるＺ方向のアライメントを可能とする。このため、検者は、このＺ方向検出輝点とケラトリング状指標との相対的な位置関係を適切なものとするように装置本体部１３を移動させることで、Ｚアライメントを行うことができる。また、オートアライメントモードの場合には、上述したように、合焦判断回路２２が、このＺ方向検出輝点とケラトリング状指標とに基づく撮像素子３２ｇからの信号を用いることで、被検眼Ｅに対する装置本体部１３のＺ軸方向のズレ量を求め、このズレ量に応じて制御部２１がＺドライバ１２ｆを制御することで装置本体部１３を適宜Ｚ軸方向へ移動させてＸＹアライメントを行う。【００７３】
レフ測定受光光学系３４は、光軸Ｏ４上に、穴開きプリズム３３ｈの穴部３４ａとフィールドレンズ３４ｂとミラー３４ｃとリレーレンズ３４ｄと合焦レンズ３４ｅとミラー３４ｆとを有し、視標投影光学系３１と対物レンズ３１ｑ、ダイクロイックフィルター３１ｐおよびダイクロイックフィルター３１ｎを共用し、かつレフ測定投影光学系３３とロータリープリズム３３ｉを共用し、しかも前眼部観察光学系３２とダイクロイックフィルター３２ｅ、結像レンズ３２ｆおよび撮像素子３２ｇを共用する。その合焦レンズ３４ｅは、指標合焦機構３４Ｄにより、レフ測定受光光学系３４の光軸Ｏ４に沿って移動可能とされている。その指標合焦機構３４Ｄは、制御部２１（図２参照）の制御下で、被検眼Ｅの前眼部（角膜Ｅｃ）にピントを合わせるべく合焦レンズ３４ｅを適宜移動させる。【００７４】
レフ測定受光光学系３４では、レフ測定投影光学系３３によって眼底Ｅｆに導かれ、かつ当該眼底Ｅｆで反射されたパターン反射光束を、対物レンズ３１ｑにより集光し、ダイクロイックフィルター３１ｐで反射した後にダイクロイックフィルター３１ｎで反射して、ロータリープリズム３３ｉへと進行させる。そして、レフ測定受光光学系３４では、反射されたパターン反射光束を、ロータリープリズム３３ｉを経て穴開きプリズム３３ｈの穴部３４ａへと進行させて、この穴部３４ａを通過させる。レフ測定受光光学系３４では、穴部３４ａを通過したパターン反射光束を、フィールドレンズ３４ｂを経た後にミラー３４ｃによって反射し、リレーレンズ３４ｄを経て合焦レンズ３４ｅへと進行させる。このとき、レフ測定受光光学系３４では、パターン反射光束すなわちレフ測定用リング状指標の結像位置が撮像素子３２ｇ（その受光面）上となるように合焦レンズ３４ｅの光軸Ｏ４上での位置が調整される。そして、レフ測定受光光学系３４では、パターン反射光束を、その合焦レンズ３４ｅを経た後にミラー３４ｆによって反射し、ダイクロイックフィルター３２ｅで反射することで、前眼部観察光学系３２（眼屈折力測定装置１０の光学的な構成）の主光軸Ｏ１上に進行させる。レフ測定受光光学系３４では、結像レンズ３２ｆにより撮像素子３２ｇ（その受光面）上に、パターン反射光束すなわちレフ測定用リング状指標を結像させる。その撮像素子３２ｇは、取得した画像に基づく画像信号を制御部２１（図２参照）に出力する。その制御部２１は、入力された画像信号に基づいて、レフ測定用リング状指標の画像を表示部１４（図１参照）に表示させる。このため、レフ測定受光光学系３４では、撮像素子３２ｇ（その受光面）上にレフ測定用リング状指標の像を形成することができ、その画像データを撮像素子３２ｇに取得させることができ、表示部１４に当該レフ測定用リング状指標の画像を表示させることができる。【００７５】
ＸＹアライメント光投影光学系３５は、ＸＹ方向検出用光源３５ａと集光レンズ３５ｂとを有し、前眼部観察光学系３２とハーフミラー３２ｂを共用し、かつ視標投影光学系３１とダイクロイックフィルター３１ｐおよび対物レンズ３１ｑを共用する。そのＸＹ方向検出用光源３５ａは、ＸＹアライメント指標光束を形成するスポット状の光源であり、ＬＥＤが用いられている。【００７６】
このＸＹアライメント光投影光学系３５では、ＸＹ方向検出用光源３５ａからのＸＹアライメント指標光束を、集光レンズ３５ｂで集光した後にハーフミラー３２ｂで反射することで、前眼部観察光学系３２（眼屈折力測定装置１０の光学的な構成）の主光軸Ｏ１上に進行させる。そして、ＸＹアライメント光投影光学系３５では、ＸＹアライメント指標光束を、ダイクロイックフィルター３１ｐを通して対物レンズ３１ｑへと進行させ、その対物レンズ３１ｑを経て被検眼Ｅの角膜Ｅｃに向けてＸＹアライメント指標光束として投影する。その被検眼Ｅ（角膜Ｅｃ）に向けて投影されたＸＹアライメント指標光束は、その被検眼Ｅの角膜Ｅｃにおいて反射され、前眼部観察光学系３２により撮像素子３２ｇ上にＸＹアライメント指標像としての輝点像が投影される。ＸＹアライメント光投影光学系３５は、形成したＸＹアライメント指標像としての輝点像を用いることで、Ｘ−Ｙ方向での位置の調節、いわゆるＸＹアライメントを可能とする。このため、検者は、ＸＹアライメント指標像としての輝点像を設定されたアライメントマーク内に位置させるように装置本体部１３を移動させることで、ＸＹアライメントを行うことができる。また、オートアライメントモードの場合には、上述したように、アライメント判定回路２３が、ＸＹアライメント指標像の位置から被検眼Ｅに対する装置本体部１３のＸ軸方向およびＹ軸方向のズレ量を求め、このズレ量に応じて制御部２１がＸドライバ１２ｄおよびＹドライバ１２ｅを制御することで装置本体部１３をＸ−Ｙ方向へ移動させてＸＹアライメントを行う。【００７７】
次に、上述した眼屈折力測定装置１０を用いて、被検眼Ｅの眼屈折力（球面度数、乱視度数、乱視軸角度等）と被検眼Ｅの角膜Ｅｃの形状とを測定する際の概略的な動作について説明する。なお、眼屈折力測定装置１０における下記の動作は、制御部２１（図２参照）の制御下で実行される。先ず、眼屈折力測定装置１０の電源スイッチを投入し、表示部１４に他覚測定を行う旨の操作を行う。すると、眼屈折力測定装置１０では、前眼部観察光学系３２において、前眼部照明光源３２ａを点灯させて、表示部１４に前眼部（角膜Ｅｃ）の画像を表示させる。そして、眼屈折力測定装置１０では、上述したように、ベース１１に対して装置本体部１３を適宜移動させて、上下方向（Ｙ軸方向）、左右方向（Ｘ軸方向）および前後方向（Ｚ軸方向）のアライメントを行う。【００７８】
すると、眼屈折力測定装置１０では、レフ測定投影光学系３３のレフ測定用光源３３ａを点灯して、眼屈折力測定（レフ測定）用リング状指標のパターン光束を、主光軸Ｏ１で被検眼Ｅの眼底Ｅｆに投影する。そして、眼屈折力測定装置１０では、眼底Ｅｆで反射されたレフ測定用リング状指標を、レフ測定受光光学系３４により撮像素子３２ｇ上に結像させる。その撮像素子３２ｇは、取得した画像に基づく画像信号を制御部２１（図２参照）に出力する。その制御部２１は、入力された画像信号に基づいて、レフ測定用リング状指標の画像を表示部１４（図１参照）に表示させる。そして、制御部２１では、表示部１４に表示させた画像（撮像素子３２ｇからの画像信号）に基づいて、眼底Ｅｆに投影されたレフ測定用リング状指標の像から眼屈折力としての球面度数、円柱度数、軸角度を測定する。この眼屈折力としての球面度数、円柱度数、軸角度の測定の詳細については、公知であるのでその説明は省略する。【００７９】
また、眼屈折力測定装置１０では、レフ測定投影光学系３３のケラトリング状指標投影光源３６を点灯して、ケラトリング状指標を主光軸Ｏ１で被検眼Ｅの角膜Ｅｃに投影する。そして、眼屈折力測定装置１０では、被検眼Ｅの角膜Ｅｃで反射されたケラトリング状指標を、前眼部観察光学系３２により撮像素子３２ｇ上に結像させる。その撮像素子３２ｇは、取得した画像に基づく画像信号を制御部２１（図２参照）に出力する。その制御部２１は、入力された画像信号に基づいて、ケラトリング状指標の画像を表示部１４（図１参照）に表示させる。そして、制御部２１では、表示部１４に表示させた画像（撮像素子３２ｇからの画像信号）に基づいて、角膜Ｅｃに投影されたケラトリング状指標の像から角膜Ｅｃの形状を測定する。この角膜Ｅｃの形状の測定の詳細については、公知であるのでその説明は省略する。このため、眼屈折力測定装置１０では、レフ測定投影光学系３３のケラトリング状指標投影光源３６が、眼屈折力を測定するための測定光とは異なる他の測定光を被検眼Ｅに向けて投影する眼特性測定投影光学系として機能し、前眼部観察光学系３２が、他の測定光の被検眼Ｅからの反射光を受光する眼特性測定受光光学系として機能する。【００８０】
このように、制御部２１は、眼屈折力の測定を実行するとともに、角膜形状の測定を実行する。なお、制御部２１は、演算結果等を記憶部（図示を略す）に適宜格納する。これにより、眼屈折力測定装置１０では、被検眼Ｅの眼屈折力（球面度数、乱視度数、乱視軸角度等）と、被検眼Ｅの角膜Ｅｃの形状と、を測定することができる。そして、眼屈折力測定装置１０では、上記した動作を被検者の双方の眼に対して実行することにより、双方の眼の眼屈折力（球面度数、乱視度数、乱視軸角度等）と角膜Ｅｃの形状とを測定することができる。このとき、眼屈折力測定装置１０では、被検者が測定を実行している被検眼Ｅとは反対側の眼を覆ったり当該眼を瞑ったりすることなく、被検眼Ｅの上記した測定を行うことができる。【００８１】
次に、本発明に係る眼屈折力測定装置（検眼装置）の一実施例としての実施例１の眼屈折力測定装置１０の特徴的な構成について、図６から図１１を用いて説明する。この眼屈折力測定装置１０では、上述したように、視標投影光学系３１が被検眼Ｅに投影した自覚視標としてのターゲット光束を被検者に注視させることにより、当該自覚視標に応じた自覚測定を行うことができる。そして、眼屈折力測定装置１０では、自覚視標としてのチャートとしてグリッドチャート３１ｖ（アムスラーチャート）（図４参照）を経たターゲット光束を被検者に注視させることができ、このグリッドチャート３１ｖを用いて自覚測定（グリッドチャートテスト）を行うことができる。なお、図６は、他覚測定を実行した後であって、グリッドチャート３１ｖを用いた自覚測定を行う場面における表示部１４（表示面１４ａ）での表示内容を示している。【００８２】
これに伴って、眼屈折力測定装置１０では、制御部２１（図２参照）の制御下で、表示部１４の表示面１４ａに、図６に示すように、被検眼Ｅの前眼部（前眼部像Ｅ´）と他覚測定による測定結果４１とに加えて、表示部１４におけるタッチパネルの機能を利用して触れることによる選択（切替）操作を可能するアイコンとしての各種記号を表示させる。その測定結果４１は、実施例１では、測定した眼屈折力に関する各数値を示すレフ測定結果４１ａと、測定した角膜Ｅｃの形状に関する各数値を示すケラト測定結果４１ｂと、視標を呈示している度数を示す呈示視標度数４１ｃと、被検眼Ｅの視力に関する各数値を示す視力値４１ｄと、を示している。測定結果４１は、この図６に示す例では、左右の双方に１つずつ表示されているが、正面視して左側が右側の被検眼Ｅの測定結果を示しており、正面視して右側が左側の被検眼Ｅの測定結果を示している。【００８３】
上記した表示させる各種記号としては、実施例１では、他覚自覚切替記号４２と、測定モード選択記号４３と、チャート切替記号４４と、結果表示記号４５と、印刷実行記号４６と、が設定されている。【００８４】
その他覚自覚切替記号４２は、上述した他覚測定を行うことと、自覚測定を行うことと、を切り替えるものである。他覚自覚切替記号４２は、この図６に示す場面では、自覚測定を行っている場面であることから、触れられることにより、自覚測定から他覚測定へと切り替えることとなる。【００８５】
測定モード選択記号４３は、他覚測定において、眼屈折力を測定するレフモードと、角膜Ｅｃの形状を測定するケラトモードと、双方を測定するレフ・ケラトモードと、の中からいずれかを選択するものである。この測定モード選択記号４３は、他覚測定において実行する測定を選択するものであることから、この図６に示す場面では、特に機能を有するものではない。【００８６】
チャート切替記号４４は、被検眼Ｅに投影する自覚視標を切り替えるものである。実施例１の眼屈折力測定装置１０では、上述したように、自覚視標としてグリッドチャート３１ｖ（アムスラーチャート）（図３および図４参照）とＶＡチャート（図示せず）とが用意されていることから、グリッドチャート３１ｖとＶＡチャートとを切り替えるものとなる。そして、チャート切替記号４４は、この図６に示す場面では、グリッドチャート３１ｖが選択されていることを示しており、触れられることによりグリッドチャート３１ｖからＶＡチャート（図示せず）へと切り替えることとなる。【００８７】
結果表示記号４５は、他覚測定による測定結果４１の表示の有無を選択するものである。この結果表示記号４５は、この図６に示す場面では、測定結果４１を表示させていることから、触れられることにより測定結果４１の表示を止めることとなる。【００８８】
印刷実行記号４６は、表示部１４の表示面１４ａに表示させている画面、もしくは測定結果４１として表示させている表示内容（測定結果）を、印刷して出力させるものである。【００８９】
さらに、眼屈折力測定装置１０では、制御部２１（図２参照）の制御下で、表示部１４の表示面１４ａに、グリッドチャート３１ｖを用いた自覚測定としてのグリッドチャートテストを補助するグリッド補助記号４７を表示させる。そのグリッド補助記号４７は、グリッドチャート３１ｖ（アムスラーチャート）を模した格子状の記号の上に、当該グリッドチャート３１ｖ（アムスラーチャート）に設けられた５つの注視点（Ｄ１〜Ｄ５（図４参照））に対応して５つのチェックマーク４７ａ〜４７ｅが設けられて構成されている。そのチェックマーク４７ａは中心注視点Ｄ１に対応し、チェックマーク４７ｂは周辺注視点Ｄ２に対応し、チェックマーク４７ｃは周辺注視点Ｄ３に対応し、チェックマーク４７ｄは周辺注視点Ｄ４に対応し、チェックマーク４７ｅは周辺注視点Ｄ５に対応している。この各チェックマーク４７ａ〜４７ｅは、触れられたか否かの識別を可能とすべく触れられると表示形態を変化させるものとされており、実施例１では色が変化するものとされている。【００９０】
次に、本発明に係る実施例１の眼屈折力測定装置１０により、グリッドチャート３１ｖ（アムスラーチャート）を用いて自覚測定としてのグリッドチャートテストを行う際の動作について説明する。なお、眼屈折力測定装置１０における下記の動作は、制御部２１（図２参照）の制御下で実行される。先ず、表示部１４において、他覚自覚切替記号４２に触れることにより他覚測定を行う旨の操作を行う。そして、表示部１４において、チャート切替記号４４に触れることによりグリッドチャート３１ｖ（アムスラーチャート）を用いる旨の操作を行う。【００９１】
すると、眼屈折力測定装置１０では、上述した角膜Ｅｃの形状や被検眼Ｅの眼屈折力を測定するときと同様に、被検眼Ｅに対する装置本体部１３のアライメントを行う。なお、このアライメントは、当該グリッドチャートテスト（他覚測定）が被検眼Ｅの眼屈折力や角膜Ｅｃの形状の測定の後に行われるものである場合、既に実行されているので行わないものとしてもよい。そして、眼屈折力測定装置１０では、指標切替部３１ｄの切替駆動部３１ｓを駆動してターレット部３１ｒの回転姿勢を適宜変化させることにより、グリッドチャート３１ｖを視標投影光学系３１の光軸Ｏ２上に位置させる。また、眼屈折力測定装置１０では、先に当該被検眼Ｅの眼屈折力の測定を行っている場合、その測定結果を用いて、視標合焦機構３１Ｄにより合焦レンズ３１ｈを視標投影光学系３１の光軸Ｏ２に沿って適宜移動させてピント調節を行う。これにより、眼屈折力測定装置１０では、グリッドチャート３１ｖを、被検眼Ｅにおいて遠くを見るときに適した度数となる位置、または被検眼Ｅにおいて近くを見るときに適した度数となる位置に疑似的に移動する。加えて、眼屈折力測定装置１０では、先にＶＡチャートを用いて自覚測定により視力検査を行っている場合、その測定結果を用いて、視標合焦機構３１Ｄにより合焦レンズ３１ｈを視標投影光学系３１の光軸Ｏ２に沿って適宜移動させてピント調節を行う。そして、眼屈折力測定装置１０では、視標投影光学系３１において、視標光源３１ａを点灯させて、被検眼Ｅにグリッドチャート３１ｖとしてのターゲット光束を投影して、グリッドチャート３１ｖを主光軸Ｏ１上で被検眼Ｅに呈示（投影）する。【００９２】
すると、被検者は、図７に示すように、グリッドチャート３１ｖのうち中心から一定の範囲のみが見えることとなる。これは、以下のことによる。視標投影光学系３１では、上述したように、グリッドチャート３１ｖ（図４参照）を視標投影光学系３１の光軸Ｏ２上に位置させた場合、当該グリッドチャート３１ｖが所定の大きさ寸法で被検眼Ｅから３０〜４０ｃｍの距離となる位置に設けられたものと等しい状態としている。すると、視標投影光学系３１では、被検眼Ｅからの視野Ｖｆに制限が生じてしまい、グリッドチャート３１ｖ全体を被検者に見せる（認識させる）ことが困難となってしまう。このため、被検者は、眼屈折力測定装置１０の視標投影光学系３１によりグリッドチャート３１ｖ（アムスラーチャート）が呈示されると、そのグリッドチャート３１ｖのうち中心から一定の範囲のみが見えることとなる。そして、このグリッドチャート３１ｖのうち中心から一定の範囲（視野Ｖｆ）は、中心注視点Ｄ１を注視した被検眼Ｅにおける網膜（眼底）Ｅｆの中心（黄斑部）に対応する範囲としている。この視野Ｖｆは、図７に示す例では、円で囲まれてグリッドチャート３１ｖを実線で示した領域としている。なお、この図７は、理解容易のために、眼屈折力測定装置１０を用いてグリッドチャート３１ｖが見える様子を模式的示すものであり、必ずしも実際に見える様子を合致するものではない。加えて、グリッドチャート３１ｖでは、複数の周辺注視点（Ｄ２〜Ｄ５）が、視標投影光学系３１における視野Ｖｆの周縁部に位置されている。そして、被検眼Ｅ（被験者）は、当該視野Ｖｆの外方を真っ暗闇（図７ではハッチを付して示している）として認識する。【００９３】
ここで、グリッドチャート３１ｖ（アムスラーチャート）を用いた自覚測定すなわちグリッドチャートテストでは、格子状のパターンが歪んで見えたり一部が欠けて見えたり一部がぼやけて見えたりしている場合、注視している被検眼Ｅに網膜（眼底）Ｅｆの中心（黄斑部）を含めた疾患もしくはその周辺の疾患の可能性があるものと判断する。このグリッドチャートテストでは、歪みや欠けやぼやけは視界の中央近傍、すなわち被検眼Ｅにおける網膜（眼底）Ｅｆの中心（黄斑部）に生じることが多い。このことから、グリッドチャートテストでは、被検者がグリッドチャート３１ｖのうち中心から一定の範囲（網膜（眼底）Ｅｆの中心（黄斑部）に対応する範囲）のみが見えるものであっても、この判断に支障が出る可能性は極めて低いものと考えられる。【００９４】
このため、眼屈折力測定装置１０では、視標投影光学系３１によりグリッドチャート３１ｖ（アムスラーチャート）における網膜（眼底）Ｅｆの中心（黄斑部）に対応する範囲を被検眼Ｅに呈示することができるので、中心注視点Ｄ１を固視目標として注視させた状態で上記した見え方の確認を行うことで、被検眼Ｅにおける網膜（眼底）Ｅｆの中心（黄斑部）に疾患の可能性があるか否かの確認を行うことができる。【００９５】
加えて、本発明に係る実施例１の眼屈折力測定装置１０では、中心から一定の範囲以外の範囲での上記した見え方の確認を可能とするために、グリッドチャート３１ｖに中心位置の中心注視点Ｄ１を取り巻くように４つの周辺注視点（Ｄ２〜Ｄ５）を設けている。このため、グリッドチャート３１ｖを用いたグリッドチャートテストでは、各周辺注視点（Ｄ２〜Ｄ５）をそれぞれ固視目標として注視させた状態で、格子状のパターンが歪んで見えたり一部が欠けて見えたり一部がぼやけて見えたりしているかを、被検者に確認する。これにより、眼屈折力測定装置１０では、グリッドチャート３１ｖのうち中心から一定の範囲のみしか見えなくても、当該グリッドチャート３１ｖ全体を見せた場合と同様の判断が可能となる。これは、以下のことによる。【００９６】
先ず、４つの周辺注視点（Ｄ２〜Ｄ５）は、上述したように、中心注視点Ｄ１（中心位置）を含む縦線および横線でグリッドチャート３１ｖを４分割した各分割領域の中心位置に設けられている。そして、上述したように各周辺注視点（Ｄ２〜Ｄ５）が視標投影光学系３１における視野Ｖｆの周縁部に位置されていることから、周辺注視点Ｄ２は、図８（ａ）に示すように、視野Ｖｆの内方において、左上の周縁部に位置することとなる。このことから、周辺注視点Ｄ２を固視目標として注視させて上記した見え方の確認を行うと、周辺注視点Ｄ２に対して右下に視野Ｖｆの内方に位置するグリッドチャート３１ｖが存在することとなる。その視野Ｖｆを基準として、当該視野Ｖｆの内方における周辺注視点Ｄ２の位置に中心注視点Ｄ１を位置させることで、グリッドチャート３１ｖを用いて中心注視点Ｄ１を注視させた状態に置き換えることができる。このため、周辺注視点Ｄ２を注視させた状態は、図８（ｂ）に示すように、グリッドチャート３１ｖを用いて中心注視点Ｄ１を注視させた状態において、視野Ｖｆを当該グリッドチャート３１ｖに対して右下へと変位させた場合と等しいものと見做すことができる。そのときの視野Ｖｆの内方には、グリッドチャート３１ｖ全体のうちの右下の分割領域（ハッチを付して示した箇所）の全体が位置することとなる。よって、周辺注視点Ｄ２を注視させて上記した見え方の確認を行うことで、中心注視点Ｄ１を注視させた際のグリッドチャート３１ｖ全体のうちの右下の分割領域（それを含む視野Ｖｆ内）における見え方の確認を行ったことと見做すことができる。これにより、被検眼Ｅにおける右下の領域（被検眼Ｅを正面から見ると左下の領域）の部位において疾患の可能性があるか否かを確認することができる。【００９７】
同様に、図９（ａ）に示すように周辺注視点Ｄ３を固視目標として注視させて上記した見え方の確認を行うことで、図９（ｂ）に示すように中心注視点Ｄ１を注視させた際のグリッドチャート３１ｖ全体のうちの左下の分割領域（それを含む視野Ｖｆ内）における見え方の確認を行ったことと見做すことができる。これにより、被検眼Ｅにおける左下の領域（被検眼Ｅを正面から見ると右下の領域）の部位において疾患の可能性があるか否かを確認することができる。【００９８】
同様に、図１０（ａ）に示すように周辺注視点Ｄ４を固視目標として注視させて上記した見え方の確認を行うことで、図１０（ｂ）に示すように中心注視点Ｄ１を注視させた際のグリッドチャート３１ｖ全体のうちの右上の分割領域（それを含む視野Ｖｆ内）における見え方の確認を行ったことと見做すことができる。これにより、被検眼Ｅにおける右上の領域（被検眼Ｅを正面から見ると左上の領域）の部位において疾患の可能性があるか否かを確認することができる。【００９９】
同様に、図１１（ａ）に示すように周辺注視点Ｄ５を固視目標として注視させて上記した見え方の確認を行うことで、図１１（ｂ）に示すように中心注視点Ｄ１を注視させた際のグリッドチャート３１ｖ全体のうちの左上の分割領域（それを含む視野Ｖｆ内）における見え方の確認を行ったことと見做すことができる。これにより、被検眼Ｅにおける左上の領域（被検眼Ｅを正面から見ると右上の領域）の部位において疾患の可能性があるか否かを確認することができる。【０１００】
このため、眼屈折力測定装置１０では、４つの周辺注視点（Ｄ２〜Ｄ５）をそれぞれ固視目標として注視させて見え方の確認を行うことにより、グリッドチャート３１ｖ全体を見せつつ中心注視点Ｄ１を注視させて見え方の確認を行った場合と同様の判断を可能とすることができる。これにより、被検眼Ｅにおける全領域において疾患の可能性があるか否かを確認することができるとともに、被検眼Ｅにおけるどの部位に疾患の可能性があるか否かを個別に確認することができる。なお、上記した固視目標として注視させる各注視点（Ｄ１〜Ｄ５）の変更は、検者の指示により行われる。すなわち、検者が、いずれか１つの注視点（Ｄ１〜Ｄ５）を注視するように被検者に指示し、当該被検者が指示された注視点（Ｄ１〜Ｄ５）を注視することにより、上記した変更が行われる。【０１０１】
この眼屈折力測定装置１０では、被検者に中心注視点Ｄ１を注視させた結果、当該被検者が見え方に異常を感じた場合（格子状のパターンが歪んで見えたり一部が欠けて見えたり一部がぼやけて見えたりした場合）、検者はグリッド補助記号４７におけるチェックマーク４７ａ（図６参照）に触れて表示形態を変化させる。同様に、被検者が見え方に異常を感じた場合、周辺注視点Ｄ２を注視させた場面ではチェックマーク４７ｂ（図６参照）、周辺注視点Ｄ３を注視させた場面ではチェックマーク４７ｃ（図６参照）、周辺注視点Ｄ４を注視させた場面ではチェックマーク４７ｄ（図６参照）、周辺注視点Ｄ５を注視させた場面ではチェックマーク４７ｅ（図６参照）、にそれぞれ触れて表示形態を変化させる。これにより、眼屈折力測定装置１０では、各チェックマーク（４７ａ〜４７ｅ）における表示形態が変化されていると、対応する注視点（Ｄ１〜Ｄ５）を固視目標として注視させて上記した見え方の確認を行った際に見え方に異常を感じたことを示すものとすることができる。このため、眼屈折力測定装置１０では、グリッドチャート３１ｖ全体のうちのいずれの領域（中心近傍もしくは各分割領域）で、被検者が見え方に異常を感じたかの確認を容易なものとすることができ、被検眼Ｅにおけるどの部位に疾患の可能性があるとの確認を容易なものとすることができる。【０１０２】
眼屈折力測定装置１０では、上記した他覚測定（グリッドチャートテスト）を両眼に対して行うことにより、被検者の両眼におけるどの部位に疾患の可能性があるとの確認を行うことができる。これにより、眼屈折力測定装置１０では、グリッドチャート３１ｖを用いたグリッドチャートテスト（自覚測定）を左右の被検眼Ｅに対して実行することができる。【０１０３】
本発明に係る眼屈折力測定装置（検眼装置）の一実施例１としての眼屈折力測定装置１０では、視標投影光学系３１により、前眼部観察光学系３２（眼屈折力測定装置１０の光学的な構成）における主光軸Ｏ１上で、グリッドチャート３１ｖ（アムスラーチャート）を被検眼Ｅに呈示（投影）する。このため、眼屈折力測定装置１０では、他覚測定として眼屈折力を測定する際と同様に、被検眼Ｅに対するグリッドチャート３１ｖ（アムスラーチャート）の距離および姿勢を所定のものとしつつ、当該グリッドチャート３１ｖを用いた自覚測定（グリッドチャートテスト）を行うことができる。これにより、眼屈折力測定装置１０では、当該自覚測定（グリッドチャートテスト）を適切に行うことができ、適切に疾患の可能性があるか否かを確認することができる。【０１０４】
また、眼屈折力測定装置１０では、視標投影光学系３１により、前眼部観察光学系３２（眼屈折力測定装置１０の光学的な構成）における主光軸Ｏ１上で、グリッドチャート３１ｖ（アムスラーチャート）を被検眼Ｅに呈示（投影）する。このため、眼屈折力測定装置１０では、他覚測定として眼屈折力を測定する際と同様に、被検者が測定を実行している被検眼Ｅとは反対側の眼を覆ったり当該眼を瞑ったりすることなく、グリッドチャート３１ｖを用いた自覚測定（グリッドチャートテスト）を行うことができる。これにより、眼屈折力測定装置１０では、被検者が注視することの妨げとなることを防止することができ、当該自覚測定（グリッドチャートテスト）を適切に行うことができ、適切に疾患の可能性があるか否かを確認することができる。【０１０５】
さらに、眼屈折力測定装置１０では、視標投影光学系３１により、グリッドチャート３１ｖが所定の大きさ寸法で被検眼Ｅから所定の距離（実施例１では３０〜４０ｃｍ）となる位置に設けられたものと等しい状態として、当該被検眼Ｅにグリッドチャート３１ｖを呈示する。このため、眼屈折力測定装置１０では、グリッドチャート３１ｖ（アムスラーチャート）をより適切な状態で被検眼Ｅに呈示しつつ当該グリッドチャート３１ｖを用いた自覚測定（グリッドチャートテスト）を行うことができる。これにより、眼屈折力測定装置１０では、当該自覚測定（グリッドチャートテスト）を適切に行うことができ、適切に疾患の可能性があるか否かを確認することができる。【０１０６】
眼屈折力測定装置１０では、視標投影光学系３１により、グリッドチャート３１ｖが所定の大きさ寸法で被検眼Ｅから所定の距離（３０〜４０ｃｍ）となる位置に設けられたものと等しい状態として、主光軸Ｏ１上で当該グリッドチャート３１ｖ（アムスラーチャート）を被検眼Ｅに呈示（投影）する。ここで、一般的に、アムスラーチャートを用いた自覚測定では、紙や電子媒体等で形成されたアムスラーチャートまでの間隔が所定の距離となるように、被検者自身が手に持ったり設置したりして、見え方の確認を行う。このため、アムスラーチャートの呈示距離に個人差が生まれてしまったり、誤った方法で行ったりしてしまう虞がある。これに対し、眼屈折力測定装置１０では、被検者に拘わらずグリッドチャート３１ｖ（アムスラーチャート）を所定の距離で呈示させつつ適切な方法で、グリッドチャート３１ｖ（アムスラーチャート）を用いた自覚測定を行うことができる。【０１０７】
眼屈折力測定装置１０では、先に被検眼Ｅの眼屈折力の測定を行っている場合、その測定結果を用いて、視標合焦機構３１Ｄにより合焦レンズ３１ｈを視標投影光学系３１の光軸Ｏ２に沿って適宜移動させてピント調節を行った状態で、すなわちグリッドチャート３１ｖを被検眼Ｅにおいて遠くを見るときに適した度数となる位置または被検眼Ｅにおいて近くを見るときに適した度数となる位置に疑似的に移動させた状態で、グリッドチャート３１ｖ（アムスラーチャート）を用いた自覚測定を行う。ここで、一般的に、アムスラーチャートを用いた自覚測定では、被検者が視力に応じて両眼視補正をしたメガネを用いる必要があり、適切に格子状のパターンがどのように見えるのかを適切に確認できない虞がある。これに対し、眼屈折力測定装置１０では、上記したようにピント調節を行った状態で自覚測定を行うことから、両眼視補正をしたメガネを用いることなく、グリッドチャート３１ｖ（アムスラーチャート）を被検者（被検眼Ｅ）に見せることができる。このとき、眼屈折力測定装置１０では、被検眼Ｅにおける片眼のみの矯正値に近い状態でグリッドチャート３１ｖ（アムスラーチャート）を見せつつ、その見え方の確認を行うことができる。このため、眼屈折力測定装置１０では、被検者がよりはっきりとグリッドチャート３１ｖ（アムスラーチャート）が見える状態で、その見え方の確認を行うこととなるので、当該自覚測定（グリッドチャートテスト）をより適切に行うことができ、より適切に疾患の可能性があるか否かを確認することができる。【０１０８】
眼屈折力測定装置１０では、上記したようにピント調節を行った状態で自覚測定を行うことから、両眼視補正をしたメガネを用いることなく、グリッドチャート３１ｖ（アムスラーチャート）を見せることができる。ここで、両眼視補正をしたメガネを用いた場合、乱視による歪みや当該メガネレンズの歪みの影響を受けてしまう。このため、眼屈折力測定装置１０では、そのような他の影響を排除した状態で、グリッドチャート３１ｖ（アムスラーチャート）を用いた自覚測定を行うことができるので、当該自覚測定（グリッドチャートテスト）をより適切に行うことができ、より適切に疾患の可能性があるか否かを確認することができる。【０１０９】
眼屈折力測定装置１０では、グリッドチャート３１ｖ（アムスラーチャート）における網膜（眼底）Ｅｆの中心（黄斑部）に対応する範囲を被検眼Ｅに呈示する。このため、眼屈折力測定装置１０では、グリッドチャート３１ｖ（アムスラーチャート）における網膜（眼底）Ｅｆの中心（黄斑部）に対応する範囲のみに被検者の注意を向けさせることができる。これにより、眼屈折力測定装置１０では、グリッドチャート３１ｖ（アムスラーチャート）を用いて、被検眼Ｅにおける網膜（眼底）Ｅｆの中心（黄斑部）に対応する範囲に疾患の可能性があるか否かをより適切に確認することができる。【０１１０】
眼屈折力測定装置１０では、グリッドチャート３１ｖに中心位置の中心注視点Ｄ１を取り巻くように複数の周辺注視点（実施例１では４つ）を設けている。このため、眼屈折力測定装置１０では、視標投影光学系３１により被検眼Ｅ（被験者）に見せることのできるグリッドチャート３１ｖ（アムスラーチャート）が小さなものとなる場合であっても、各周辺注視点を固視目標として注視させつつ見え方の確認を行うことで、実際に見せているグリッドチャート３１ｖよりも大きな範囲で疾患の可能性があるか否かを確認することができる。【０１１１】
眼屈折力測定装置１０では、複数の周辺注視点（実施例１では４つ）を、視標投影光学系３１における視野Ｖｆの周縁部に設けている。このため、眼屈折力測定装置１０では、被検眼Ｅ（被験者）に見せることのできる視野Ｖｆ内のグリッドチャート３１ｖ（アムスラーチャート）を用いて、最も大きな範囲で疾患の可能性があるか否かを確認することができる。【０１１２】
眼屈折力測定装置１０では、グリッドチャート３１ｖ（アムスラーチャート）を正方形状とするとともに、そのグリッドチャート３１ｖを中心注視点Ｄ１（中心位置）を含む縦線および横線で４分割した各分割領域の中心位置に４つの周辺注視点（Ｄ２〜Ｄ５）を設けている。このため、眼屈折力測定装置１０では、４つの周辺注視点（Ｄ２〜Ｄ５）をそれぞれ固視目標として注視させて見え方の確認を行うことにより、当該各周辺注視点で規定される正方形の領域の４倍の面積のグリッドチャート３１ｖ上での疾患の可能性があるか否かを確認することができる。これにより、眼屈折力測定装置１０では、より効率良くグリッドチャート３１ｖ（アムスラーチャート）を用いた自覚測定を行うことができる。【０１１３】
眼屈折力測定装置１０では、視標投影光学系３１における視野Ｖｆの周縁部であって、グリッドチャート３１ｖ（アムスラーチャート）における網膜（眼底）Ｅｆの中心（黄斑部）に対応する範囲の周縁部に、複数の周辺注視点（実施例１では４つ）を設けている。このため、眼屈折力測定装置１０では、各周辺注視点を固視目標として注視させてグリッドチャート３１ｖ（アムスラーチャート）を用いた自覚測定を行うことにより、被検眼Ｅにおけるどの部位に疾患の可能性があるか否かを確認することができる。【０１１４】
眼屈折力測定装置１０では、各注視点（Ｄ１〜Ｄ５）を固視目標として注視させてグリッドチャート３１ｖ（アムスラーチャート）を用いた自覚測定を行うことから、被検眼Ｅにおけるどの部位に疾患の可能性があるか否かを個別に確認することができる。すなわち、眼屈折力測定装置１０では、被検眼Ｅにおいて、中心注視点Ｄ１を注視させると網膜（眼底）Ｅｆの中心（黄斑部）の部位、周辺注視点Ｄ２を注視させると右下の領域（被検眼Ｅを正面から見ると左下の領域）の部位、周辺注視点Ｄ３を注視させると左下の領域（被検眼Ｅを正面から見ると右下の領域）の部位、周辺注視点Ｄ４を注視させると右上の領域（被検眼Ｅを正面から見ると左上の領域）の部位、周辺注視点Ｄ５を注視させると左上の領域（被検眼Ｅを正面から見ると右上の領域）の部位、に疾患の可能性があるか否かを確認することができる。このように、眼屈折力測定装置１０では、グリッドチャート３１ｖ（アムスラーチャート）に設けた注視点の位置および個数に応じて、被検眼Ｅにおける部位（領域）毎に疾患の可能性の有無を確認することができる。換言すると、眼屈折力測定装置１０では、各注視点の位置および個数に応じた被検眼Ｅにおける部位（領域）毎にグリッドチャート３１ｖ（アムスラーチャート）を用いた自覚測定を行うことができるので、従来のアムスラーチャートを用いた自覚測定では困難であった被検眼Ｅにおけるどの部位（領域）に疾患の可能性があるのかを適切に把握することができる。このため、眼屈折力測定装置１０では、被検眼Ｅにおける全領域において疾患の可能性があるか否かを確認することができることに加えて、被検眼Ｅにおけるどの部位に疾患の可能性があるか否かを個別に確認することができる。【０１１５】
眼屈折力測定装置１０では、被検者に各注視点（Ｄ１〜Ｄ５）を注視させた結果、当該被検者が見え方に異常を感じた場合、検者はグリッド補助記号４７における対応するチェックマーク（４７ａ〜４７ｅ）にそれぞれ触れて表示形態を変化させることで、いずれの注視点（Ｄ１〜Ｄ５）を注視させた際に見え方に異常を感じたのかを容易に記録することができる。このため、眼屈折力測定装置１０では、グリッドチャート３１ｖ全体のうちのいずれの領域（中心近傍もしくは各分割領域）で、被検者が見え方に異常を感じたかの確認を容易なものとすることができ、被検眼Ｅにおけるどの部位に疾患の可能性があるかの確認を容易なものとすることができる。【０１１６】
眼屈折力測定装置１０では、グリッドチャート３１ｖ（アムスラーチャート）が格子状のパターンの箇所で視標光源３１ａからの光（光束）を透過させることにより、当該グリッドチャート３１ｖを被検眼Ｅに呈示している。このため、眼屈折力測定装置１０では、簡易な構成でグリッドチャート３１ｖを被検眼Ｅに呈示することができる。【０１１７】
眼屈折力測定装置１０では、格子状のパターンの箇所を視標光源３１ａからの光（光束）を透過させて明るいものとするとともにそれ以外の箇所を暗いものとし、かつ視野Ｖｆの外方を真っ暗闇として、グリッドチャート３１ｖ（アムスラーチャート）を被検眼Ｅ（被験者）に呈示する。このため、眼屈折力測定装置１０では、グリッドチャート３１ｖ（アムスラーチャート）をよりはっきりと被検眼Ｅ（被験者）に見せることができるので、グリッドチャート３１ｖ（アムスラーチャート）を用いた自覚測定（グリッドチャートテスト）をより適切に行うことができ、より適切に疾患の可能性があるか否かを確認することができる。【０１１８】
眼屈折力測定装置１０では、グリッドチャート３１ｖを視標光源３１ａからの光（光束）を透過させるものとすることにより、当該グリッドチャート３１ｖを被検眼Ｅに呈示している。このため、眼屈折力測定装置１０では、視標投影光学系３１において、視標光源３１ａからの光（光束）を透過させる他の視標をグリッドチャート３１ｖと交換可能に設けることにより、様々な指標を被検眼Ｅに呈示することができる。これにより、眼屈折力測定装置１０では、使い勝手を向上させることができる。【０１１９】
眼屈折力測定装置１０では、指標切替部３１ｄのターレット部３１ｒに、グリッドチャート３１ｖと他の視標（上記した実施例１では固視標とＶＡチャート）とを設け、そのターレット部３１ｒの回転姿勢を適宜変化させて光軸Ｏ２上に位置させる視標を変更する。このため、眼屈折力測定装置１０では、簡易な構成としつつ様々な指標を被検眼Ｅに呈示することができ、使い勝手を向上させることができる。【０１２０】
眼屈折力測定装置１０では、先にＶＡチャートを用いて自覚測定により視力検査を行っている場合、その測定結果を用いて、視標合焦機構３１Ｄにより合焦レンズ３１ｈを視標投影光学系３１の光軸Ｏ２に沿って適宜移動させてピント調節を行う。このため、眼屈折力測定装置１０では、さらに屈折矯正をした状態でグリッドチャート３１ｖ（アムスラーチャート）を用いた自覚測定を行うことができるので、当該自覚測定（グリッドチャートテスト）をより適切に行うことができ、より適切に疾患の可能性があるか否かを確認することができる。【０１２１】
眼屈折力測定装置１０では、被検眼Ｅの眼屈折力に加えて、それとは異なる被検眼Ｅの他の光学特性としての被検眼Ｅの角膜Ｅｃの形状も測定することができる。このため、眼屈折力測定装置１０では、より使い勝手を向上させることができる。【０１２２】
眼屈折力測定装置１０では、被検眼Ｅに呈示するグリッドチャート３１ｖの大きさ寸法を小さくすることが可能とされていることから、より狭い領域のみに被検者の注意を向けさせることができるので、グリッドチャート３１ｖ（アムスラーチャート）を用いた自覚測定（グリッドチャートテスト）をより適切に行うことができ、より適切に疾患の可能性があるか否かを確認することができる。【０１２３】
したがって、本発明に係る眼屈折力測定装置（検眼装置）の一実施例としての実施例１の眼屈折力測定装置１０では、アムスラーチャートを用いた自覚測定を容易にかつ適切に行うことができる。【０１２４】
なお、上記した実施例１では、レフ測定投影光学系３３とレフ測定受光光学系３４とで他覚測定により被検眼Ｅの眼屈折力を測定するものとされていたが、他覚測定か自覚測定かに拘わらず被検眼Ｅの眼屈折力を測定することのできる眼屈折力測定装置（検眼装置）であって、アムスラーチャート（グリッドチャート３１ｖ）を被検眼Ｅに呈示する視標呈示光学系（視標投影光学系３１）を備える眼屈折力測定装置（検眼装置）であればよく、上記した実施例１の構成に限定されるものではない。【０１２５】
また、上記した実施例１では、視標投影光学系３１（視標呈示光学系）に設けたグリッドチャート３１ｖを、当該視標投影光学系３１における被検眼Ｅからの視野Ｖｆよりも大きなものを用いていた。しかしながら、視標投影光学系３１では、上述したように、グリッドチャート３１ｖにおける視野Ｖｆの外方に位置する箇所を被検者に見せる（認識させる）ことができないので、例えば、グリッドチャート３１ｖ´（図１２参照）のように予め視野Ｖｆの内方に位置させることができる大きさ寸法のグリッドチャートを用いるものとしてもよい。その視野Ｖｆの内方に位置させることができる大きさ寸法のグリッドチャートの一例としてのグリッドチャート３１ｖ´を図１２に示す。そのグリッドチャート３１ｖ´は、視野Ｖｆの内方に位置させる大きさ寸法とすべく、上記した実施例１のグリッドチャート３１ｖ（図４参照）における４つの周辺注視点（Ｄ２〜Ｄ５）の内側に相当する大きさ寸法の正方形状とされており、縦方向および横方向にそれぞれ１０個のグリッド（マス目）が並べられて構成されている。そして、グリッドチャート３１ｖ´では、グリッドチャート３１ｖと同様に中心位置に１つの中心注視点Ｄ１´が設けられており、グリッドチャート３１ｖとは異なり各周辺注視点（Ｄ２〜Ｄ５）が設けられていない。しかしながら、グリッドチャート３１ｖ´では、グリッドチャート３１ｖにおける各周辺注視点（Ｄ２〜Ｄ５）に相当する箇所が、格子状のパターンにおける４角となるので、各角を周辺注視点（Ｄ２´〜Ｄ５´）として利用することができる。すなわち、グリッドチャート３１ｖ´では、格子状のパターンの４角が、検者が固視目標として誘導し易いものであり、被検者が固視目標として理解し易く注視し易いものとされているので、それぞれ周辺注視点（Ｄ２´〜Ｄ５´）とすることができる。このような構成とすると、指標切替部３１ｄ（そのターレット部３１ｒ）に設けるグリッドチャート３１ｖ´をより小さなものとすることができるので、眼屈折力測定装置１０全体の大きさ寸法の低減を図ることを可能としつつ、上記した実施例１と同様の効果を得ることができる。なお、このグリッドチャート３１ｖ´では、グリッドチャート３１ｖと同様の各周辺注視点（Ｄ２〜Ｄ５）を設けるものであってもよく、それらとは異なる位置に適宜周辺注視点を設けるものであってもよく、この図１２に示す例に限定されるものではない。また、その各周辺注視点および中心注視点は、上記した各注視点（Ｄ１〜Ｄ５）と同様の効果を得ることができるものであれば、複数の光源（ＬＥＤ等）で形成するものであってもよく、他の構成であってもよく、上記した実施例１（図１２に示す例も含む）に限定されるものではない。このとき、各注視点は、検者が固視目標として誘導し易いものであることや、被検者が固視目標として理解し易く注視し易いものであることが望ましい。【０１２６】
上記した実施例１では、視標投影光学系３１（視標呈示光学系）において、グリッドチャート３１ｖ（アムスラーチャート）が格子状のパターンの箇所で視標光源３１ａからの光（光束）を透過させることにより、当該グリッドチャート３１ｖを被検眼Ｅに呈示している。しかしながら、視標投影光学系３１によりグリッドチャート３１ｖを被検眼Ｅに呈示するものであれば、グリッドチャート（アムスラーチャート）を液晶パネル等の画像形成装置の表示画面上に表示して形成するものであってもよく、上記した実施例１に限定されるものではない。このようなことは、視標投影光学系３１において、視標光源３１ａ、色補正フィルタ３１ｂ、コリメータレンズ３１ｃおよび指標切替部３１ｄに替えて、液晶パネル等の画像形成装置を用いることにより実現することができる。この場合、眼屈折力測定装置１０をより簡易な構成とすることができる。また、上述したようにグリッドチャート（アムスラーチャート）の色を変化させる場合であっても、容易に対応することができる。さらに、各周辺注視点を自在に設けることができるので、使い勝手をより向上させることができる。【０１２７】
上記した実施例１では、視標投影光学系３１（視標呈示光学系）において、グリッドチャート３１ｖ（アムスラーチャート）が格子状のパターンの箇所で視標光源３１ａからの光（光束）を透過させるものとし、指標切替部３１ｄのターレット部３１ｒによりグリッドチャート３１ｖと他の視標（上記した実施例１では固視標とＶＡチャート）との切り替えを可能としていた。しかしながら、グリッドチャート３１ｖと他の視標との切り替えを可能とするものであればよく、上記した実施例１に限定されるものではない。【０１２８】
上記した実施例１では、グリッドチャート３１ｖ（アムスラーチャート）を用いた自覚測定（グリッドチャートテスト）を行う際、図６に示す画面（表示内容）を表示部１４の表示面１４ａに表示させていた。しかしながら、グリッドチャート３１ｖ（アムスラーチャート）を用いた自覚測定（グリッドチャートテスト）を行うことを可能とするものであればよく、上記した実施例１に限定されるものではない。【０１２９】
上記した実施例１では、他覚測定により被検眼Ｅの眼屈折力を測定するためにレフ測定投影光学系３３とレフ測定受光光学系３４とを設けていたが、被検眼Ｅからの反射光を受光して当該被検眼Ｅの眼屈折力を測定するものであれば、光学的な構成、各光学部材の配置および測定原理が異なるものであってもよく、上記した実施例１に限定されるものではない。【０１３０】
上記した実施例１では、表示部１４の表示面１４ａに表示させるグリッド補助記号４７において、チェックマーク４７ｂを周辺注視点Ｄ２に対応させ、チェックマーク４７ｃを周辺注視点Ｄ３に対応させ、チェックマーク４７ｄを周辺注視点Ｄ４に対応させ、チェックマーク４７ｅを周辺注視点Ｄ５に対応させている。しかしながら、グリッドチャート３１ｖ全体のうちのいずれの場所（中心近傍もしくは各分割領域）で、被検者が見え方に異常を感じたかの確認を容易なものとするものであれば、チェックマークと周辺注視点との対応関係は適宜設定すればよく、上記した実施例１に限定されるものではない。【０１３１】
上記した実施例１では、被検眼Ｅの角膜Ｅｃの形状も測定することが可能とされていたが、眼屈折力とは異なる被検眼Ｅの他の光学特性を測定することができるものであればよく、上記した実施例１に限定されるものではない。【０１３２】
上記した実施例１では、被検眼Ｅの角膜Ｅｃの形状も測定することが可能とされていたが、眼屈折力を測定するものであって、アムスラーチャート（グリッドチャート３１ｖ）を、主光軸Ｏ１上で被検眼Ｅに呈示する視標呈示光学系（視標投影光学系３１）を備える視標投影光学系（検眼装置）であればよく、上記した実施例１の構成に限定されるものではない。
【実施例２】
【０１３３】
次に、本発明の検眼装置の他の一例としての実施例２の自覚式検眼装置６０について、図１３から図２０を用いて説明する。この実施例２の自覚式検眼装置６０は、本発明の検眼装置の他の一例を示すものであり、本発明のグリッドチャート３１ｖ（アムスラーチャート）を用いた自覚測定（グリッドチャートテスト）を行うことができるものである。この実施例２の自覚式検眼装置６０は、実行するグリッドチャート３１ｖ（アムスラーチャート）を用いた自覚測定（グリッドチャートテスト）が基本的に実施例１の眼屈折力測定装置１０と同様とされており、等しい構成および工程の個所には同じ符号を付し、その詳細な説明は省略する。また、自覚式検眼装置６０は、視標６５の１つとしてグリッドチャート３１ｖ（図４、図７、図１２等参照）を被検者１０１（被検眼）に呈示することができる。その呈示するグリッドチャート３１ｖの構成に関しては、実施例１の眼屈折力測定装置１０と同様とされており、等しい構成および工程の個所には同じ符号を付し、その詳細な説明は省略する。【０１３４】
この実施例２の自覚式検眼装置６０は、上述したように本発明のグリッドチャート３１ｖ（アムスラーチャート）を用いた自覚測定（グリッドチャートテスト）を実行することができるとともに、眼鏡を作成する際にレンズの屈折度数を定めるために用いることができる。この自覚式検眼装置６０は、図１３に示すように、視標呈示部６１と矯正機構部６２とコントローラ６３と検眼テーブル６４とを備える。【０１３５】
その視標呈示部６１は、被検者１０１の被検眼に各種の視標６５を呈示するものであり、支柱６１ａにより高さ位置を変更可能に支持されている。その視標６５は、被検眼の各種の視機能検査のために被検眼に呈示するものであり、各種の視標６５のうちの自覚測定のためのものは基本的に実施例１の眼屈折力測定装置１０で設けた自覚視標としてのチャートと等しく、図１３にはグリッドチャート３１ｖ（アムスラーチャート）が呈示された例を示している。視標呈示部６１には、視標６５を表示するための表示画面６６が設けられている。この表示画面６６では、後述するように、演算制御回路７６（図１６参照）の制御下で視標６５を含む各画像が適宜表示され（図１７、図１８参照）、その表示する視標６５の種類はコントローラ６３への操作により選択可能とされている。【０１３６】
その視標呈示部６１と被検者１０１との間に検眼テーブル６４が配置される。その検眼テーブル６４は、コントローラ６３を置くことが可能とされている。検眼テーブル６４には、支柱６７が上下方向に伸縮可能に設けられており、その支柱６７に支持アーム６８が回転自在に設けられている。その支持アーム６８は、支柱６７の上部から水平方向に伸びて設けられており、その水平箇所に矯正機構部６２が取り付けられている。【０１３７】
その矯正機構部６２は、被検者１０１の被検眼の視機能を矯正するために設けられており、支柱６７および支持アーム６８により被検者１０１（被検眼）と視標呈示部６１との間に配置することが可能とされている（図１９等参照）。矯正機構部６２は、左右で対称形状とされた一対のフォロプタ７１を有する。各フォロプタ７１は、被検眼の視機能を矯正するための光学部材を収容するハウジング７１ａを有し、その各ハウジング７１ａに検眼窓７２が設けられている。その両検眼窓７２は、被検者１０１が各フォロプタ７１に収容された光学部材を介して視標呈示部６１（その表示画面６６）を覗き見るために設けられており、被検者１０１の左右の被検眼に対応されている。この一対のフォロプタ７１は、互いの間隔が調整可能、すなわち相対的に近付けることと離すこととが可能とされている。このため、矯正機構部６２では、一対の検眼窓７２の光軸間距離を、被検者１０１の左右の被検眼の瞳孔間距離に合わせることができる。この一対のフォロプタ７１は、左右対称な構造であることから、以下で単にフォロプタ７１としてその構造を説明する。【０１３８】
フォロプタ７１では、ハウジング７１ａ内に５つの回転ディスク７３（個別に述べる際には符号７３１から７３５を用いる（図１４参照））が、回転軸７３ａを回転中心としてそれぞれ回転可能に設けられている。各回転ディスク７３には、図１４に示すように、周回り方向に等間隔を開けて円形開口７３ｂが設けられており、各回転ディスク７３（７３１〜７３５）の外周部にはギヤ７３１Ｇ〜７３５Ｇが形成されている。その各ギヤ７３１Ｇ〜７３５Ｇには、後述する演算制御回路７６（図１６参照）の制御下で駆動されるパルスモータによって回転駆動される駆動ギヤ（図示せず）が噛み合わされている。各回転ディスク７３は、各円形開口７３ｂに設けられた矯正レンズを適宜組み合わせて検眼窓７２（図１３参照）内に配置させる。【０１３９】
回転ディスク７３１では、複数の円形開口７３ｂに、検査用光学素子として例えば０．２５Ｄずつ球面度数が異なる複数の球面度数レンズ（図示せず）が一枚ずつ嵌め込まれて設けられている。また、回転ディスク７３２では、複数の円形開口７３ｂに、３Ｄずつ球面度数の異なる複数の球面度数レンズ（図示せず）が一枚ずつ嵌め込まれて設けられている。さらに、回転ディスク７３３では、各円形開口７３ｂに、検査用光学素子として乱視レンズ（図示せず）が嵌め込まれて設けられている。回転ディスク７３４では、各円形開口７３ｂに、水平斜位検査用の水平プリズムや垂直斜位検査用の垂直プリズムや補正度数がそれぞれ異なる水平斜位検査用の検査用光学素子である検査用プリズムが、嵌め込まれて設けられている。その水平プリズムは、呈示された視標を水平方向に分離させるものであり、垂直プリズムは、呈示された視標を垂直方向に分離させるものである。そして、回転ディスク７３５では、複数の円形開口７３ｂに、補正度数がそれぞれ異なる垂直斜位検査用の検査用光学素子である検査用プリズム（光学部材：検査用垂直プリズム）や、マドックスロッドによる線条光による斜位検査用のマドックスロッドレンズ等が、嵌め込まれて設けられている。【０１４０】
加えて、各回転ディスク７３では、少なくとも１つの円形開口７３ｂが、矯正力をかけない状態での検眼検査を行うために素通しとされている。実施例２の各回転ディスク７３では、符号７３ｂＡで示す１つの円形開口７３ｂが素通しとされている。また、各回転ディスク７３では、素通しとされた円形開口７３ｂＡに隣接する円形開口７３ｂに、被検者１０１が各視標６５を視認することを防止するための遮蔽板７３ｃが設けられている。【０１４１】
このため、矯正機構部６２では、図１３に示すように、各フォロプタ７１における後述する演算制御回路７６（図１６参照）の制御下でパルスモータを適宜駆動して各回転ディスク７３を適宜回転させることにより、適宜選択した矯正レンズを各検眼窓７２内に配置する。これにより、矯正機構部６２では、各検眼窓７２を経ることによる矯正力を調整することができる。そして、演算制御回路７６は、コントローラ６３に為された操作に基づいて、矯正機構部６２における矯正力を調整する。【０１４２】
そのコントローラ６３は、検眼テーブル６４の上に置かれている。コントローラ６３は、図１５に示すように、検者１０２（図１３参照）により操作される操作部７４と、操作内容を示す操作画像をそれぞれ表示する表示部７５と、を有する。そのコントローラ６３では、操作部７４の縁部７４ａに表示部７５の下縁部７５ａが、軸部材を介して回転可能に取り付けられて構成されている。【０１４３】
その操作部７４には、ダイヤル７４ｂや表示切替スイッチ７４ｃ等の検査の設定や実行等の操作のための各種スイッチが設けられている。そのダイヤル７４ｂは、各フォロプタ７１の検眼窓７２内に配置する矯正レンズを選択するものである。表示切替スイッチ７４ｃは、表示部７５における表示内容を、後述する遠用検査のための第一の表示モード（図１７参照）と、後述する近用検査のための第二の表示モード（図１８参照）と、で切り換えるものである。この操作部７４には、マウス７４ｄが接続されており、各種スイッチと同様に、検査の設定や実行等の操作を行うことが可能とされている。【０１４４】
表示部７５には、操作部７４に為された操作内容や視標６５や検査に関するデータ等を表示する表示画面７５ｂが設けられている。その表示画面７５ｂには、後述する遠用検査のための第一の表示モード（図１７参照）と、後述する近用検査のための第二の表示モード（図１８参照）と、が適宜切り換えられて表示される。この表示画面７５ｂは、実施例２では、タッチパネルの機能を搭載しており、そのタッチパネルの機能を利用して第一の表示モードや第二の表示モードにおける後述する各操作のための各種の記号に触れることによる操作を可能とする。【０１４５】
このコントローラ６３では、図１６に示すように、操作部７４と表示部７５とに加えて、演算制御回路７６を有する。その演算制御回路７６は、ＣＰＵ７７およびメモリ部７８を有する。そのＣＰＵ７７は、メモリ部７８に格納されたプログラムにより自覚式検眼装置６０の各部を統括的に制御する。ＣＰＵ７７（自覚式検眼装置６０）は、操作部７４および表示部７５と接続されており、操作部７４に為された操作に基づく信号が入力されると、その操作に応じて表示部７５（その表示画面７５ｂ）の動作（表示）を制御する。また、ＣＰＵ７７（自覚式検眼装置６０）は、視標呈示部６１の駆動制御部および矯正機構部６２の駆動制御部（そのパルスモータ）と接続されており、視標呈示部６１および矯正機構部６２の動作を制御する。さらに、ＣＰＵ７７（自覚式検眼装置６０）は、他の光学検査機器としての光学検査機器としてのレンズメータＣＬおよび他覚検査装置ＲＭと接続されており、これらの他の光学検査機器からの測定データを光学特性データとして取り込むことができる。その測定データには、被検者の眼の光学特性データ、眼鏡レンズの光学特性データに加えて、検査に関連する他のデータ、例えば、機器ＩＤ、被検者ＩＤ、被検者の氏名、データ番号、測定時刻等の項目も含まれている。【０１４６】
メモリ部７８には、遠方を見た状態（遠方視状態）での被検眼の視機能を検査する遠用検査時に用いられる各種の視標６５と、近方を見た状態（近方視状態）での被検眼の視機能を検査する近用検査時に用いられる各種の視標６５と、のそれぞれを示す視標データが記憶される。ＣＰＵ７７は、この視標データに基づいて、視標呈示部６１（表示画面６６）や表示部７５（表示画面７５ｂの後述する視標呈示欄９１（図１８参照））に、各種の視標６５を適宜表示させる。また、メモリ部７８には、操作画像を示す操作画像データ（後述する第一の表示モード（図１７参照）や第二の表示モード（図１８参照）等を含む）が記憶されている。さらに、メモリ部７８には、各矯正レンズの球面度数、乱視度数、軸角度、水平方向のプリズム量及び垂直方向のプリズム量等の屈折力を示すレンズデータＤＬ（図１７、図１８参照）と、が記憶されている。【０１４７】
ＣＰＵ７７は、操作部７４のダイヤル７４ｂ（図１５参照）が操作されると、その操作位置に応じた屈折力を示すレンズデータＤＬをメモリ部７８から抽出する。そして、ＣＰＵ７７は、抽出したレンズデータＤＬが示す屈折力を有する矯正レンズを各フォロプタ７１の検眼窓７２（図１３参照）内に配置する旨の制御信号を、矯正機構部６２の駆動制御部（そのパルスモータ）に送る。これにより、矯正機構部６２の各フォロプタ７１では、ダイヤル７４ｂの操作により選択された屈折力を有する矯正レンズが検眼窓７２内に配置される。また、ＣＰＵ７７は、そのメモリ部７８から抽出したレンズデータＤＬを示す信号を表示部７５に送り、その表示画面７５ｂにレンズデータＤＬを表示させる（図１７、図１８参照）。【０１４８】
さらに、ＣＰＵ７７は、操作部７４の表示切替スイッチ７４ｃ（図１５参照）に、表示部７５の表示モードを第一の表示モードと第二の表示モードとの間で切り替える旨の操作が為されると、各表示モードに対応する操作画像データをメモリ部７８から抽出する。そして、ＣＰＵ７７は、その抽出した各表示モードの操作画像データを示す信号を表示部７５に送り、その表示画面７５ｂに各表示モードに応じた操作画像を表示させる。【０１４９】
その第一の表示モードは、遠方視状態での被検眼の視機能を検査する遠用検査時、すなわち矯正機構部６２を介して視標呈示部６１（その表示画面６６）に表示された視標６５を見て検査する際に表示部７５（その表示画面７５ｂ）に表示される（図１３参照）。第一の表示モードでは、図１７に示すように、表示部７５（その表示画面７５ｂ）に、検査種別表示欄８１と検査詳細内容表示欄８２と屈折力表示欄８３と参照表示欄８４と一覧表示欄８５と視標表示欄８６と操作記号表示欄８７とダイヤル表示欄８８と瞳孔間距離表示欄８９とが表示される。これらの各欄は、それぞれ画像データとしてメモリ部７８に記憶されている。また、これらの各欄は、表示画面７５ｂ（表示部７５）におけるタッチパネルの機能を利用して触れることによる選択（切替）操作を可能するアイコンとしての各種記号としても機能する。このため、ＣＰＵ７７（演算制御回路７６）は、表示画面７５ｂに表示された各欄に触れられた検出信号を表示部７５から受けると、その検出信号に応じたデータをメモリ部７８から抽出し、その抽出したデータを示す信号を表示部７５や視標呈示部６１に適宜送る。【０１５０】
その検査種別表示欄８１は、実行中の検査の名称を表示するものであり、図１７に示す例では遠用検査の球面度テストにおいてチャート（視標）を用いることを表示している。検査詳細内容表示欄８２は、検査の詳細内容の名称を表示するものであり、図１７に示す例では左端に右眼であることを示す「右」の文字と、右端に左眼であることを示す「左」の文字と、真ん中に自覚測定の遠用検査によりデータ（測定結果）を取得している旨と、を表示している。【０１５１】
屈折力表示欄８３は、矯正機構部６２（その各フォロプタ７１）で設定された矯正レンズのレンズデータＤＬ、すなわち各検眼窓７２にセットされている光学素子としてのレンズの球面度数、乱視度数及び軸角度等の光学特性データを表示する。その矯正レンズは、上述したように操作部７４のダイヤル７４ｂへの操作で選択されることで設定されることから、屈折力表示欄８３は、ダイヤル７４ｂに為された操作結果を表示していることになる。このため、ＣＰＵ７７（演算制御回路７６）は、屈折力表示欄８３に表示させる光学特性データに対応する光学素子が各検眼窓７２にセットされるように矯正機構部６２を制御する。その屈折力表示欄８３は、図１７に示す例では、レンズデータＤＬとして、レンズの屈折力のうち球面度数、乱視度数、軸角度および加入の各項目が表示され、被検者１０１の右眼と左眼とに対応して各検眼窓７２にセットされている光学特性データの数値を項目毎に表示している。【０１５２】
参照表示欄８４は、屈折力表示欄８３に表示されている光学特性データと対比可能な光学特性データを表示するものであり、検者１０２による自覚検査の作業をより効率的なものとすべく設けている。その参照表示欄８４は、屈折力表示欄８３の左右に１つずつ設けられ、それぞれが被検者１０１の右眼と左眼とに対応する各種の光学特性データを表示する。図１７に示す例では、左側の参照表示欄８４は、他覚検査装置ＲＭ（図１６参照）から取り込んだ測定データを表示しており、上段に測定データの表題を示す「他覚」の文字を表示し、その下にその測定データの各数値を項目毎に表示している。また、図１７に示す例では、右側の参照表示欄８４は、レンズメータＣＬ（図１６参照）から取り込んだ測定データを表示しており、上段に測定データの表題を示す「メガネ」の文字を表示し、その下にその測定データの各数値を項目毎に表示している。【０１５３】
一覧表示欄８５は、自覚式検眼装置６０において用いることのできる視標６５の一覧を表示するものであり、上段に表示する項目の切り替えのための表示切替ボタンを表示し、その下に表示切替ボタンで選択された項目における視標６５の一覧を表示する。その表示切替ボタンは、図１７に示す例では、左側から順に、視標６５の一覧を表示させる項目としての「チャート１」および「チャート２」の文字と、自動および手動による操作が必要な視標６５の一覧を表示させる項目としての「手動ｖｓ自動」の文字と、何も設定されていない箇所と、近方視状態での被検眼の視機能を検査する近用検査時に用いる視標６５の一覧を表示させる項目としての「近用」の文字と、を表示させている。そして、図１７に示す例では、最も左側の表示切替ボタンである「チャート１」が選択されて、その下に「チャート１」における視標６５の一覧を表示させている様子を示している。この一覧表示欄８５では、タッチパネルの機能を利用して、表示した視標６５の一覧のうちのいずれかに触れられると、その触れられた視標６５が選択されたものとする。視標表示欄８６は、一覧表示欄８５において選択された視標６５を表示するものであり、図１７に示す例では、選択されたＶＡチャートを表示している。ＣＰＵ７７（演算制御回路７６）は、一覧表示欄８５で選択されて視標表示欄８６に表示された視標６５を、視標呈示部６１の表示画面６６に表示させるように当該視標呈示部６１を制御する（図１３等参照）。【０１５４】
操作記号表示欄８７は、各種の操作のための記号を表示するものであり、表示画面７５ｂにおける下部に表示される。この操作記号表示欄８７は、図１７に示す例では、左側から順に、レンズの度数を０．２５ディオプターずつ変化させるステップ送りボタンとしての「Ｓ：０．２５」の文字と、遮蔽板を各検眼窓７２にセットさせる「遮蔽板」の文字と、各種のデータを表示させる「データ表示」の文字と、処方データを記録させる「処方：記録」の文字と、自覚データ、他覚データ、処方データ、前回処方データ、裸眼データ等のデータをセットするための「データセット」の文字と、を表示させている。ダイヤル表示欄８８は、操作部７４のダイヤル７４ｂ（図１５参照）への操作の様子を示すダイヤル像を表示する。瞳孔間距離表示欄８９は、被検者１０１の左右の被検眼の瞳孔間距離となる一対の検眼窓７２（図１３参照）の光軸間距離を表示する。【０１５５】
また、第二の表示モードは、近方視状態での被検眼の視機能を検査する近用検査時、すなわち矯正機構部６２を介して表示画面７５ｂ（図１５参照）に表示された視標６５を見て検査を行うために表示部７５（その表示画面７５ｂ）に表示される。その第二の表示モードでは、図１８に示すように、表示部７５（その表示画面７５ｂ）に、視標６５を呈示する視標呈示欄９１と、矯正機構部６２（その各フォロプタ７１）で設定された矯正レンズのレンズデータＤＬを表示させる屈折力表示欄９２と、が表示される。これらの各欄は、それぞれ画像データとしてメモリ部７８（図１６参照）に記憶されている。その視標呈示欄９１は、近用検査時に被検者１０１（被検眼）に見せるために視標６５を表示させる箇所とであり、近用検査のために選択された視標６５を表示する。【０１５６】
屈折力表示欄９２は、矯正機構部６２における左右のフォロプタ７１で設定された矯正レンズのレンズデータＤＬを左右に分けて表示しており、上段に左右のいずれに対応しているかを示す項目としての「右」および「左」の文字を表示している。また、屈折力表示欄９２は、その項目の下に各レンズデータＤＬのうちのいずれを表示しているのかを示す箇所と、その箇所に対応するデータを示す箇所と、が設けられている。屈折力表示欄９２は、図１８に示す例では、各レンズデータＤＬのうち、外側から順に、加入（「加入」の文字）、軸角度（「軸」の文字）、乱視度数（「乱視」の文字）、球面度数（「球面」の文字）、水平方向のプリズム量Ｈ（「プリズムＨ」の文字）、垂直方向のプリズム量Ｖ（「プリズムＶ」の文字）の値を表示している。【０１５７】
ＣＰＵ７７（演算制御回路７６）は、上述したように、視標呈示部６１（表示画面６６）およびコントローラ６３の表示部７５（表示画面７５ｂの視標呈示欄９１）において、各視標６５（グリッドチャート３１ｖ等）を呈示させることが可能とされている。この各視標６５（グリッドチャート３１ｖ等）の呈示は、視標呈示部６１（表示画面６６）および表示部７５（表示画面７５ｂ）がディスプレイ等の表示装置で形成されていることから、容易に行うことができる。このため、自覚式検眼装置６０では、選択された視標６５（グリッドチャート３１ｖ（アムスラーチャート））の呈示を、実施例１の眼屈折力測定装置１０と同様に行うことができる。【０１５８】
次に、自覚式検眼装置６０により、遠方視状態での被検眼の視機能を検査する遠用検査を行う様子と、近方視状態での被検眼の視機能を検査する近用検査を行う様子と、について説明する。先ず、検者１０２は、遠用検査を行うべく、操作部７４に設けられた表示切替スイッチ７４ｃ（図１５参照）を操作することにより表示部７５（その表示画面７５ｂ）を第一の表示モードに切り替える。すると、自覚式検眼装置６０では、ＣＰＵ７７（演算制御回路７６）の制御下で、表示画面７５ｂ（表示部７５）に第一の表示モードの操作画像（図１７参照）を表示させる。そして、検者１０２は、第一の表示モードの操作画像において、一覧表示欄８５から検査に用いる遠用検査用の視標６５を選択する。すると、自覚式検眼装置６０では、ＣＰＵ７７（演算制御回路７６）の制御下で、表示部７５の視標表示欄８６（図１７参照）と視標呈示部６１の表示画面６６（図１３参照）とのそれぞれに、選択された視標６５を表示させる。このため、検者１０２は、視標表示欄８６に表示された視標６５を視認することにより、表示画面６６および視標表示欄８６に表示された視標６５が、選択した視標６５に一致しているか否かを確認することができる。【０１５９】
この設定状態において、自覚式検眼装置６０では、図１９に示すように、矯正機構部６２の各フォロプタ７１の各検眼窓７２を通して、視標呈示部６１の表示画面６６に表示された視標６５を被検者１０１に見させる。ここで、被検者１０１（被検眼）に各検眼窓７２を覗かせてから、上記した各種の設定を行うものであってもよい。そして、検者１０２は、被検者１０１に視標６５の見え具合を聞き、その応答に基づいて各フォロプタ７１（各検眼窓７２内）に配置する矯正レンズを操作部７４のダイヤル７４ｂの操作により切り替える。このとき、ダイヤル７４ｂの操作により選択された矯正レンズのレンズデータＤＬが、表示部７５の屈折力表示欄８３に表示されるので、検者１０２はそのレンズデータＤＬを視認しながらダイヤル７４ｂを操作することができる。このことを視標６５が良好に見えるまで繰り返すことにより、被検眼の視機能を適切に矯正する作成すべき眼鏡のレンズの屈折度数を定めることができる。このため、自覚式検眼装置６０は、遠方視状態において、被検眼の眼屈折力（眼鏡のレンズの屈折度数）を測定することができる。【０１６０】
近方視状態での被検眼の視機能を検査する際、検者１０２は、図２０に示すように、コントローラ６３を検眼テーブル６４上で被検者１０１の前方に配置し、その表示部７５の表示画面７５ｂを各フォロプタ７１に対向させる。そして、検者１０２は、近用検査を行うべく一覧表示欄８５から検査に用いる近用検査用の視標６５を選択し、操作部７４に設けられた表示切替スイッチ７４ｃ（図１５参照）を操作することにより表示部７５（その表示画面７５ｂ）を第二の表示モードに切り替える。すると、自覚式検眼装置６０では、ＣＰＵ７７（演算制御回路７６）の制御下で、表示画面７５ｂ（表示部７５）に第二の表示モードの操作画像（図１８参照）を表示させる。また、自覚式検眼装置６０では、ＣＰＵ７７（演算制御回路７６）の制御下で、表示部７５（その表示画面７５ｂ）の視標呈示欄９１に選択された視標６５を表示させる（図１８参照）。このとき、ＣＰＵ７７（演算制御回路７６）は、各フォロプタ７１と表示画面７５ｂとの距離を算出し、その距離に基づいて視標６５の大きさを検査対象となる被検者１０１（被検眼）の視力値に応じた大きさに調節して表示画面７５ｂに表示させる。【０１６１】
この設定状態において、検者１０２は、矯正機構部６２の各フォロプタ７１の各検眼窓７２を通して、コントローラ６３の表示部７５（表示画面７５ｂ）に表示された視標６５を被検者１０１に見させる。そして、検者１０２は、遠用検査時と同様に、被検者１０１に視標６５の見え具合を聞き、その応答に基づいて各フォロプタ７１（各検眼窓７２内）に配置する矯正レンズを操作部７４のダイヤル７４ｂの操作により切り替える。このことを視標６５が良好に見えるまで繰り返すことにより、被検眼の視機能を適切に矯正する作成すべき眼鏡のレンズの屈折度数を定めることができる。このため、自覚式検眼装置６０は、近方視状態において、被検眼の眼屈折力（眼鏡のレンズの屈折度数）を測定することができる。【０１６２】
また、自覚式検眼装置６０では、偏光板やレッド・グリーンフィルタや液晶フィルタを用いることで、被検眼の斜位度を測定する斜位検査を行うことができる。これらの各種の検査は、従来と同様である。【０１６３】
加えて、本発明に係る実施例２の自覚式検眼装置６０では、グリッドチャート３１ｖ（アムスラーチャート）を用いた自覚測定（グリッドチャートテスト）を行うことができる。すなわち、自覚式検眼装置６０では、遠用検査を行う際には、ＣＰＵ７７（演算制御回路７６）の制御下で、視標呈示部６１の表示画面６６に視標６５としてのグリッドチャート３１ｖ（アムスラーチャート）を表示させる。この表示画面６６におけるグリッドチャート３１ｖ（アムスラーチャート）の呈示（表示）は、表示の態様が、視標投影光学系３１において光軸Ｏ２上に位置させたグリッドチャート３１ｖ（アムスラーチャート）としてのターゲット光束を被検眼Ｅに投影しそのグリッドチャート３１ｖを主光軸Ｏ１上で被検眼Ｅに呈示（投影）することから、視標呈示部６１（その表示画面６６）で呈示することに変わるのみであるので、実施例１と同様に行うことができる。このため、視標呈示部６１は、矯正機構部６２と協働して、被検眼Ｅに対して自覚測定のために注視させる自覚視標としてのグリッドチャート３１ｖ（アムスラーチャート）を呈示する視標呈示光学系として機能する。【０１６４】
また、自覚式検眼装置６０では、近用検査を行う際には、ＣＰＵ７７（演算制御回路７６）の制御下で、表示部７５の表示画面７５ｂの視標呈示欄９１に視標６５としてのグリッドチャート３１ｖ（アムスラーチャート）を表示させる。この表示画面７５ｂ（視標呈示欄９１）におけるグリッドチャート３１ｖ（アムスラーチャート）の呈示は、表示の態様が、視標投影光学系３１において光軸Ｏ２上に位置させたグリッドチャート３１ｖ（アムスラーチャート）としてのターゲット光束を被検眼Ｅに投影しそのグリッドチャート３１ｖを主光軸Ｏ１上で被検眼Ｅに呈示（投影）することから、表示部７５（その表示画面７５ｂ（視標呈示欄９１））で呈示することに変わるのみであるので、実施例１と同様に行うことができる。このため、コントローラ６３の表示部７５は、矯正機構部６２と協働して、被検眼Ｅに対して自覚測定のために注視させる自覚視標としてのグリッドチャート３１ｖ（アムスラーチャート）を呈示する視標呈示光学系として機能する。また、ＣＰＵ７７（演算制御回路７６）は、視標呈示光学系（視標呈示部６１、コントローラ６３の表示部７５）におけるグリッドチャート３１ｖ（アムスラーチャート）（視標６５）の呈示を制御する制御部として機能する。【０１６５】
実施例２の自覚式検眼装置６０では、グリッドチャート３１ｖ（アムスラーチャート）の呈示に関しては基本的に実施例１の眼屈折力測定装置１０と同様の構成であることから、基本的に実施例１と同様の効果を得ることができる。【０１６６】
それに加えて、自覚式検眼装置６０では、視標呈示部６１の表示画面６６でのグリッドチャート３１ｖ（アムスラーチャート）の表示、あるいは表示部７５（表示画面７５ｂ）の視標呈示欄９１でのグリッドチャート３１ｖ（アムスラーチャート）の表示を、ＣＰＵ７７（演算制御回路７６）の制御下で行う。このため、自覚式検眼装置６０では、簡易な構成で、遠用検査であっても近用検査であってもグリッドチャート３１ｖ（アムスラーチャート）を用いて自覚測定を行うことができる。【０１６７】
したがって、本発明に係る検眼装置の他の一例としての実施例２の自覚式検眼装置６０では、アムスラーチャートを用いた自覚測定を容易にかつ適切に行うことができる。【０１６８】
なお、この実施例２では、第一の表示モード（図１７参照）と第二の表示モード（図１８参照）とにおいて表示画面７５ｂに表示される画像の例を示していたが、前者が遠用検査のために表示されるものであり後者が近用検査のために表示されるものであればよく、上記した例に限定されるものではない。【０１６９】
なお、上記した各実施例では、本発明に係る眼屈折力測定装置（検眼装置）の実施例としての眼屈折力測定装置１０について説明したが、被検眼の眼底に向けて主光軸上で測定光を投影するレフ測定投影光学系と、前記主光軸を通る前記測定光の前記眼底での反射光を受光するレフ測定受光光学系と、を備え、前記レフ測定受光光学系での受光に基づいて前記被検眼の眼屈折力を測定する眼屈折力測定装置（検眼装置）であって、自覚測定のために被検者に注視させる自覚視標として格子状のパターンからなるアムスラーチャートを、前記主光軸上で前記被検眼に呈示する視標呈示光学系を備える眼屈折力測定装置（検眼装置）であればよく、上記した各実施例に限定されるものではない。【０１７０】
また、上記した各実施例では、本発明に係る検眼装置（眼屈折力測定装置）の実施例としての眼屈折力測定装置１０および自覚式検眼装置６０について説明したが、被検眼の眼屈折力を測定する検眼装置であって、自覚測定のために被検者に注視させる自覚視標として格子状のパターンからなるアムスラーチャートを前記被検眼に呈示する視標呈示光学系を備える検眼装置（眼屈折力測定装置）であればよく、上記した各実施例に限定されるものではない。【０１７１】
さらに、上記した各実施例では、中心注視点Ｄ１（中心位置）を含む縦線および横線でグリッドチャート３１ｖを４分割した各分割領域の中心位置に４つの周辺注視点（Ｄ２〜Ｄ５）を設けていた。しかしながら、各周辺注視点は、それらを注視させることにより視標投影光学系３１により被検眼Ｅ（被験者）に見せることのできるグリッドチャート３１ｖ（アムスラーチャート）が小さなものとなる場合であっても、実際に見せているグリッドチャート３１ｖよりも大きな範囲で疾患の可能性があるか否かを確認することを可能とするものであれば、設ける位置および個数は適宜設定すればよく、上記した各実施例に限定されるものではない。【０１７２】
上記した各実施例では、各注視点（Ｄ１〜Ｄ５）を予めグリッドチャート３１ｖに設けるものとしていたが、上記した効果を得ることができるものであれば、例えば、視標投影光学系３１に各注視点（Ｄ１〜Ｄ５）の位置に対応して複数の光源（ＬＥＤ等）を設けて当該光源により各周辺注視点を形成するものであってもよく、グリッドチャート（格子状のパターン）の角で形成するものであってもよく、他の構成であってもよく、上記した各実施例に限定されるものではない。このとき、各注視点は、検者が固視目標として誘導し易いものであることや、被検者が固視目標として理解し易く注視し易いものであることが望ましい。このように、各光源により各注視点（Ｄ１〜Ｄ５）を形成する場合、グリッド補助記号４７の各チェックマーク（４７ａ〜４７ｅ（図６参照））が触れられると対応する光源を点灯させつつ他の光源を消灯させるものとする機能を持たせることにより、当該チェックマークを触れることで固視目標としての各注視点（Ｄ１〜Ｄ５）を切り換えることを可能とすることができる。【０１７３】
上記した各実施例では、格子状のパターンの箇所を白色としたグリッドチャート３１ｖを被検眼Ｅに呈示している。しかしながら、グリッドチャート３１ｖを被検眼Ｅに呈示するものであれば、例えば、格子状のパターンの箇所を適宜赤や緑や青の色として呈示する等のように、格子状のパターンの箇所の色を適宜変更可能とするものとしてもよい。このようなことは、眼屈折力測定装置１０であれば、視標投影光学系３１において、色補正フィルタ３１ｂとして様々な色に対応した複数の色補正フィルタを用意し、その各色補正フィルタのうちのいずれかを光軸Ｏ２上に位置させることが可能な構成とすることにより、実現することができる。また、視標光源３１ａに替えて、種々の色の光（光束）を出射させることのできる光源を用いるものとしても、実現することができる。このような種々の色の光（光束）を出射させる光源としては、複数の光源を用意して点灯させる光源を適宜切り換えることで実現することができ、赤と緑と青との光源を用意するものとすればそれらを適宜組み合わせることで多くの色の光（光束）を出射させることができる。加えて、上記したことは、自覚式検眼装置６０であれば、視標呈示部６１（表示画面６６）やコントローラ６３の表示部７５（表示画面７５ｂ）として、カラー表示が可能な液晶ディスプレイを用いることにより実現することができる。この場合、様々な色でグリッドチャート３１ｖ（アムスラーチャート）を被検眼Ｅ（被験者）に見せることができるので、例えば色に応じて反応（被験者が感じ取った見え方）が異なる場合であってもそれらも含めて適切に疾患の可能性があるか否かを判断することができる。すなわち、種々の色のグリッドチャート３１ｖ（アムスラーチャート）を被検眼Ｅ（被験者）に見せることにより、色に応じた反応（被験者が感じ取った見え方）の差異を確認することが可能となる。また、被検眼Ｅ（被験者）において、最も視認性の高い色で呈示したグリッドチャート３１ｖ（アムスラーチャート）を見せることで、被験者が感じ取った見え方をより正確に把握することが可能となり、より適切に疾患の可能性があるか否かを判断することができる。【０１７４】
上記した各実施例では、グリッドチャート３１ｖ（アムスラーチャート）を、縦方向および横方向にそれぞれ２０個のグリッド（マス目）が並べられて構成されているものとしたが、格子状のパターンとされているものであって上記した他覚測定（グリッドチャートテスト（アムスラーチャートテスト））を可能とするものであれば、大きさ寸法やグリッド（マス目）の数や全体の形状等は適宜設定すればよく、上記した各実施例に限定されるものではない。【０１７５】
以上、本発明の眼屈折力測定装置（検眼装置）を各実施例に基づき説明してきたが、具体的な構成については各実施例に限られるものではなく、本発明の要旨を逸脱しない限り、設計の変更や追加等は許容される。
［関連出願への相互参照］
本出願は、２０１３年９月１８日に日本国特許庁に出願された特願２０１３−１９３２３４に基づいて優先権を主張し、その全ての開示は完全に本明細書で参照により組み込まれる。
【符号の説明】
【０１７６】
１０  （眼屈折力測定装置および検眼装置の一例としての）眼屈折力測定装置
３１  （視標呈示光学系の一例としての）視標投影光学系
３１ａ  視標光源
３１ｕ  （他の視標の一例としての）風景チャート
３１ｖ  （アムスラーチャートの一例としての）グリッドチャート
３２  （眼特性測定受光光学系の一例としての）前眼部観察光学系
３３  レフ測定投影光学系
３４  レフ測定受光光学系
３６  （眼特性測定投影光学系の一例としての）ケラトリング状指標投影光源
６０  （検眼装置の一例としての）自覚式検眼装置
６１  （視標呈示光学系の一例としての）視標呈示部
７５  （視標呈示光学系の一例としての）表示部
Ｄ１  中心注視点
Ｄ２、Ｄ３、Ｄ４、Ｄ５  周辺注視点
Ｅ  被検眼
Ｅｆ  眼底
Ｏ１  主光軸
Ｖｆ  視野
【図１】
2015040950.tif 000003
【図２】
2015040950.tif 000004
【図３】
2015040950.tif 000005
【図４】
2015040950.tif 000006
【図５】
2015040950.tif 000007
【図６】
2015040950.tif 000008
【図７】
2015040950.tif 000009
【図８】
2015040950.tif 000010
【図９】
2015040950.tif 000011
【図１０】
2015040950.tif 000012
【図１１】
2015040950.tif 000013
【図１２】
2015040950.tif 000014
【図１３】
2015040950.tif 000015
【図１４】
2015040950.tif 000016
【図１５】
2015040950.tif 000017
【図１６】
2015040950.tif 000018
【図１７】
2015040950.tif 000019
【図１８】
2015040950.tif 000020
【図１９】
2015040950.tif 000021
【図２０】
2015040950.tif 000022
【国際調査報告】
2015040950.tif 000023
2015040950.tif 000024
2015040950.tif 000025
2015040950.tif 000026